(57)【特許請求の範囲】
【請求項１】
一つ以上の下りcomponent carrierが設定された端末と通信する基地局であって、
各下りcomponent carrierに割り当てられた下りデータのリソースを示す下り割当情報と、前記下りデータを、前記端末に送信する送信部と、
前記下りデータに対する応答信号であって、前記端末から送信された応答信号を受信し、前記端末から送信されたスケジューリング・リクエスト（ＳＲ）を受信する受信部と、
を有し、
前記応答信号は、前記下りデータの復号の成否、又は、前記復号の成否を送信しないＤＴＸを示し、
複数の下りcomponent carrierが設定された場合、前記複数の下りcomponent carrierにおける複数の下りデータに対する複数の応答信号が送信され、
前記複数の応答信号が送信される場合、前記複数の応答信号は、前記複数の下りデータそれぞれの復号の成否に応じた位相点及び複数の応答信号用上り制御チャネルリソースの内の一つを用いて送信され、
前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される、
基地局。
【請求項２】
前記複数の応答信号と前記ＳＲとが同一のサブフレームで送信される場合、前記複数の応答信号のそれぞれが復号が成功しなかったこと又はＤＴＸを示す位相点が、同一である、
請求項１に記載の基地局。
【請求項３】
前記複数の応答信号と前記ＳＲとが同一のサブフレームで送信される場合、前記複数の応答信号のうち、復号が成功したことを示す応答信号の数が同一であって、かつ、復号が成功した下りデータの下りcomponent carrierが同一である位相点が、同一である、
請求項１又は２に記載の基地局。
【請求項４】
前記複数の応答信号と前記ＳＲとが同一のサブフレームで送信される場合、前記複数の応答信号のうち、少なくとも一部の応答信号がbundlingされる、
請求項１から３のいずれかに記載の基地局。
【請求項５】
前記複数の応答信号と前記ＳＲとが同一のサブフレームで送信される場合、前記複数の応答信号のそれぞれが復号が成功しなかったこと又はＤＴＸを示す位相点と、前記複数の応答信号のうちの一つの応答信号が復号に成功したことを示す位相点とが、同一である、
請求項１から４のいずれかに記載の基地局。
【請求項６】
前記下り割当情報は、基地局からコントロール・チャネル・エレメント（ＣＣＥ）で送信され、
前記応答信号用上り制御チャネルリソースの番号が、前記ＣＣＥの番号に対応づけられている、
請求項１から５のいずれかに記載の基地局。
【請求項７】
前記下り割当情報は、基地局からコントロール・チャネル・エレメント（ＣＣＥ）で送信され、
前記応答信号用上り制御チャネルリソースの番号が、前記ＣＣＥの番号に対応づけられ、
前記ＳＲ用上り制御チャネルリソースの番号は、前記基地局から通知される、
請求項１から６のいずれかに記載の基地局。
【請求項８】
前記下り割当情報は、基地局からコントロール・チャネル・エレメント（ＣＣＥ）で送信され、
前記応答信号用上り制御チャネルリソースの番号が、前記ＣＣＥの番号に対応づけられ、
前記ＳＲ用上り制御チャネルリソースの番号は、higher layerで通知される、
請求項１から７のいずれかに記載の基地局。
【請求項９】
前記復号の成否は、ＡＣＫ又はＮＡＣＫで示される、
請求項１から８のいずれかに記載の基地局。
【請求項１０】
前記ＤＴＸは、前記下りデータに対応する下り割当情報が検出されなかったことを示す、
請求項１から９のいずれかに記載の基地局。
【請求項１１】
前記位相点は、ＢＰＳＫ変調又はＱＰＳＫ変調の位相点である、
請求項１から１０のいずれかに記載の基地局。
【請求項１２】
前記複数の下りデータの復号の成否の組み合わせが、位相点及び応答信号用上り制御チャネルリソース番号に対応付けられている、
請求項１から１１のいずれかに記載の基地局。
【請求項１３】
複数の異なる前記組み合わせが、それぞれ、複数の異なる位相点及び複数の異なる応答信号用上り制御チャネルリソース番号に対応づけられている、
請求項１２に記載の基地局。
【請求項１４】
一つ以上の下りcomponent carrierが設定された端末から応答信号を受信する受信方法であって、
各下りcomponent carrierに割り当てられた下りデータのリソースを示す下り割当情報と、前記下りデータを、前記端末に送信する工程と、
前記下りデータに対する応答信号であって、前記端末から送信された応答信号を受信する工程と、
前記端末から送信されたスケジューリング・リクエスト（ＳＲ）を受信する工程と、
を有し、
前記応答信号は、前記下りデータの復号の成否、又は、前記復号の成否を送信しないＤＴＸを示し、
複数の下りcomponent carrierが設定された場合、前記複数の下りcomponent carrierにおける複数の下りデータに対する複数の応答信号が送信され、
前記複数の応答信号が送信される場合、前記複数の応答信号は、前記複数の下りデータそれぞれの復号の成否に応じた位相点及び複数の応答信号用上り制御チャネルリソースの内の一つを用いて送信され、
前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される、
受信方法。
【請求項１５】
一つ以上の下りcomponent carrierが設定された端末と通信する基地局における処理を制御する集積回路であって、
各下りcomponent carrierに割り当てられた下りデータのリソースを示す下り割当情報と、前記下りデータを、前記端末に送信する処理と、
検出された前記下り割当情報によって示される前記リソースで送信された前記下りデータを復号する処理と、
前記下りデータに対する応答信号であって、前記端末から送信された応答信号を受信する処理と、
前記端末から送信されたスケジューリング・リクエスト（ＳＲ）を受信する処理と、
を制御し、
前記応答信号は、前記下りデータの復号の成否、又は、前記復号の成否を送信しないＤＴＸを示し、
複数の下りcomponent carrierが設定された場合、前記複数の下りcomponent carrierにおける複数の下りデータに対する複数の応答信号が送信され、
前記複数の応答信号が送信される場合、前記複数の応答信号は、前記複数の下りデータそれぞれの復号の成否に応じた位相点及び複数の応答信号用上り制御チャネルリソースの内の一つを用いて送信され、
前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される、
集積回路。
【発明の詳細な説明】
【技術分野】
【０００１】
本発明は、基地局、受信方法および集積回路に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。
【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。
【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。
【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。ただし、この応答信号（つまり、ＡＣＫ／ＮＡＣＫ信号）の変調にはＢＰＳＫ（Binary Phase Shift Keying）が用いられている。また、この応答信号のフィードバックには、ＰＵＣＣＨ（Physical Uplink Control Channel）等の上り回線制御チャネルが用いられる。そして、受信した応答信号がＮＡＣＫを示す場合には、基地局は、端末に対して再送データを送信する。
【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには識別番号（Index）が連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。
【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。こうして下り回線の通信リソースが効率良く使用される。
【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ(Discrete Fourier Transform)系列によって拡散され、ＰＵＣＣＨ内でコード多重されている。図１において（Ｗ０,Ｗ１,Ｗ２,Ｗ３）は系列長４のウォルシュ系列（ウォルシュ符号系列又はウォルシュ符号と称されることもある）を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボルに対応する周波数成分へ１次拡散される。次いで１次拡散後の応答信号、及び、参照信号としてのＺＡＣ系列がウォルシュ系列（系列長４：Ｗ０〜Ｗ３）、ＤＦＴ系列（系列長３：Ｆ０〜Ｆ２）それぞれに対応させられて２次拡散される。さらに、２次拡散された信号が、ＩＦＦＴ（Inverse Fast Fourier Transform）によって時間軸上の系列長１２の信号に変換される。そして、ＩＦＦＴ後の信号それぞれに対しＣＰが付加され、７つのＳＣ−ＦＤＭＡシンボルからなる１スロットの信号が形成される。
【０００９】
ここで、異なる端末からそれぞれ送信される応答信号間では、異なる巡回シフト量（Cyclic shift Index）に対応する系列又は異なる直交符号系列（Orthogonal cover Index：OC Index）（すなわち、ウォルシュ系列とＤＦＴ系列との組）を用いて拡散されている。従って、基地局では、従来の逆拡散処理及び相関処理を用いることにより、これらのコード多重された複数の応答信号を分離することができる（非特許文献４参照）。
【００１０】
ただし、各端末が各サブフレームにおいて自分宛の下り割当制御信号をブラインド判定するので、端末側では、必ずしも下り割当制御信号の受信が成功するとは限らない。端末が或る下り単位バンドにおける自分宛の下り割当制御信号の受信に失敗した場合、端末は、当該下り単位バンドにおいて自分宛の下り回線データが存在するか否かさえも知り得ない。従って、或る下り単位バンドにおける下り割当制御信号の受信に失敗した場合、端末は、当該下り単位バンドにおける下り回線データに対する応答信号も生成しない。このエラーケースは、端末側で応答信号の送信が行われないという意味での、応答信号のDTX（DTX (Discontinuous transmission) of ACK/NACK signals）として定義されている。
【００１１】
ところで、前述した上り回線制御チャネル（ＰＵＣＣＨ）は、端末側から送信すべき上り回線データの発生を示す上り制御信号であるＳＲ（Scheduling Request）（ＳＲＩ：Scheduling Request Indicatorと表現されることもある。）の伝送にも用いられる。基地局は、端末との間で接続を確立した際、ＳＲの送信に用いるべきリソース（以下、ＳＲリソースという）を各端末に対して個別に割り当てる。また、このＳＲにはＯＯＫ（On-Off-Keying）が適用されており、基地局側では、端末がＳＲリソースを用いて任意の信号を送信しているか否かに基づいて、端末からのＳＲを検出する。また、ＳＲには前述した応答信号と同様にして、ＺＡＣ系列、ウォルシュ系列及びＤＦＴ系列を用いた拡散が適用される。
【００１２】
ＬＴＥシステムでは、ＳＲと応答信号とが同一サブフレーム内で発生する場合がある。この場合、端末側でＳＲと応答信号とをコード多重して送信すると、端末が送信する信号の合成波形のＰＡＰＲ（Peak to Average Power Ratio）が大きく劣化してしまう。しかし、ＬＴＥシステムでは、端末のアンプ効率を重要視するため、端末側でＳＲと応答信号とが同一サブフレーム内で発生した場合には、端末は、図２Ａに示すように、応答信号の送信に用いるべきリソース（以下、ＡＣＫ／ＮＡＣＫリソースという）を用いずに、端末毎に予め個別に割り当てられたＳＲリソースを用いて応答信号（図２Ａ〜Ｄに示す応答信号）を送信する。
【００１３】
すなわち、端末側で応答信号のみを送信すればよい場合（図２Ｃに示す応答信号のみ送信時）には、端末はＡＣＫ／ＮＡＣＫリソースを用いて応答信号（図２Ｃに示す応答信号）を伝送する。これに対して、端末側でＳＲと応答信号とが同一サブフレーム内に発生した場合（図２Ｄに示す応答信号＋ＳＲ送信時）には、端末はＳＲリソースを用いて応答信号（図２Ｄに示す応答信号）を伝送する。
【００１４】
これにより、端末が送信する信号の合成波形のＰＡＰＲを低く抑えることができる。このとき、基地局側では、ＳＲリソースが用いられているか否かに基づいて、端末側からのＳＲを検出する。さらに、基地局側では、ＳＲリソース（ＳＲリソースが用いられていない場合にはＡＣＫ／ＮＡＣＫリソース）で送信された信号の位相（すなわち、ＢＰＳＫの復調結果）に基づいて、端末がＡＣＫ又はＮＡＣＫのいずれを送信したかを判定する。
【００１５】
また、３ＧＰＰ  ＬＴＥよりも更なる通信の高速化を実現する３ＧＰＰ  ＬＴＥ−ａｄｖａｎｃｅｄの標準化が開始された。３ＧＰＰ  ＬＴＥ−ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。
【００１６】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがある。
【００１７】
そして、ＬＴＥ−Ａシステムでは、その単位バンドを幾つか束ねた帯域を用いた通信、所謂Carrier aggregationがサポートされる。そして、一般的に上りに対するスループット要求と下りに対するスループット要求とは異なるので、ＬＴＥ−Ａシステムでは、任意のＬＴＥ−Ａシステム対応の端末（以下、「ＬＴＥ−Ａ端末」という）に対して設定される単位バンドの数が上りと下りで異なるCarrier aggregation、所謂Asymmetric carrier aggregationも検討されている。さらに、上りと下りで単位バンド数が非対称であり、且つ、各単位バンドの周波数帯域幅がそれぞれ異なる場合も、サポートされる。
【００１８】
図３は、個別の端末に適用される非対称のCarrier aggregation及びその制御シーケンスの説明に供する図である。図３には、基地局の上りと下りの帯域幅及び単位バンド数が対称である例が示されている。
【００１９】
図３Ｂにおいて、端末１に対しては、２つの下り単位バンドと左側の１つの上り単位バンドを用いてCarrier aggregationを行うような設定(Configuration)が為される一方、端末２に対しては、端末１と同一の２つの下り単位バンドを用いるような設定が為されるにも拘らず、上り通信では右側の上り単位バンドを利用するような設定が為される。
【００２０】
そして、端末１に着目すると、ＬＴＥ−Ａシステムを構成するＬＴＥ−Ａ基地局とＬＴＥ−Ａ端末との間では、図３Ｂに示すシーケンス図に従って、信号の送受信が行われる。図３Ａに示すように、（１）端末１は、基地局との通信開始時に、図３Ｂに示す左側の下り単位バンド（ＤＬ  ＣＣ１）と同期を取り、左側の下り単位バンドとペアになっている上り単位バンドの情報をＳＩＢ２(System Information Block Type 2)と呼ばれる報知信号から読み取る。（２）端末１は、この上り単位バンド（ＵＬ  ＣＣ１）を用いて、例えば、接続要求を基地局に送信することによって基地局との通信を開始する。（３）端末に対し複数の下り単位バンドを割り当てる必要があると判断した場合には、基地局は、端末に下り単位バンド（ＤＬ  ＣＣ２）の追加を指示する。ただし、この場合、上り単位バンド数は増えず、個別の端末である端末１において非対称Carrier aggregationが開始される。
【００２１】
また、前述のCarrier aggregationが適用されるＬＴＥ−Ａでは、端末が一度に複数の下り単位バンドにおいて複数の下り回線データを受信することがある。ＬＴＥ−Ａでは、この複数の下り回線データに対する複数の応答信号の送信方法の一つとして、Channel Selection（Multiplexing又はCode selectionとも呼ぶことがある）が検討されている。Channel Selectionでは、複数の下り回線データに関する誤り検出結果のパターンに応じて、応答信号に用いるシンボルだけでなく、応答信号をマッピングするリソースも変化させる。すなわち、Channel Selectionは、図４に示すように、複数の下り単位バンドで受信した複数の下り回線データに対する応答信号がそれぞれＡＣＫかＮＡＣＫかに基づいて、応答信号の位相点（すなわち、Constellation point）だけではなく、応答信号の送信に用いるリソースも変化させる手法である（非特許文献５、６、７参照）。
【００２２】
ここで、上記した非対称のCarrier aggregationが端末に適用される場合のChannel SelectionによるＡＲＱ制御について、図４を援用して以下に詳述する。
【００２３】
例えば、図４に示すように、端末１に対して、下り単位バンド１，２及び上り単位バンド１から成る単位バンドグループ（英語で「Component carrier set」と表記されることがある）が設定される場合には、下り単位バンド１，２のそれぞれのＰＤＣＣＨを介して下りリソース割当情報が基地局から端末１へ送信された後に、その下りリソース割当情報に対応するリソースで下り回線データが送信される。
【００２４】
そして、単位バンド１における下りデータの受信に成功し、単位バンド２における下りデータの受信に失敗した場合（つまり、単位バンド１の応答信号がＡＣＫで、単位バンド２の応答信号がＮＡＣＫの場合）には、ＰＵＣＣＨ領域１内に含まれるＰＵＣＣＨリソースに応答信号がマッピングされ、且つ、その応答信号の位相点として、第１の位相点(例えば、(1,0)等の位相点)が用いられる。また、単位バンド１における下りデータの受信に成功し、かつ、単位バンド２における下りデータの受信にも成功した場合には、ＰＵＣＣＨ領域２内に含まれるＰＵＣＣＨリソースに応答信号がマッピングされ、且つ、第１の位相点が用いられる。すなわち、下り単位バンドが２つの場合、誤り検出結果のパターンが４パターンあるので、２つのリソースと２種類の位相点との組み合わせにより、その４パターンを表すことができる。
【先行技術文献】
【非特許文献】
【００２５】
【非特許文献１】3GPP TS 36.211 V8.7.0, “Physical Channels and Modulation (Release 8),” May 2009
【非特許文献２】3GPP TS 36.212 V8.7.0, “Multiplexing and channel coding (Release 8),” May 2009
【非特許文献３】3GPP TS 36.213 V8.7.0, “Physical layer procedures (Release 8),” May 2009
【非特許文献４】Seigo Nakao, Tomofumi Takata, Daichi Imamura, and Katsuhiko Hiramatsu, “Performance enhancement of E-UTRA uplink control channel in fast fading environments,”Proceeding of IEEE VTC 2009 spring, April. 2009
【非特許文献５】ZTE, 3GPP RAN1 meeting #57bis, R1-092464, “Uplink Control Channel Design for LTE-Advanced,” June 2009
【非特許文献６】Panasonic, 3GPP RAN1 meeting #57bis, R1-092535, “UL ACK/NACK transmission on PUCCH for carrier aggregation,” June 2009
【非特許文献７】Nokia Siemens Networks, Nokia, 3GPP RAN1 meeting #57bis, R1-092572, “UL control signalling for carrier aggregation,” June 2009
【発明の概要】
【発明が解決しようとする課題】
【００２６】
上述したように、ＳＲリソースとＡＣＫ／ＮＡＣＫリソースとは同一のフォーマットを有し、ＳＲと応答信号とを同時に送信する際には、端末はＳＲリソースを用いて応答信号を送信する。ここで、ＬＴＥ−Ａシステムにおける応答信号の送信方法としてChannel selectionが適用される場合、前述の通り、端末に設定される下り単位バンドの数（図４では２つのＡＣＫ／ＮＡＣＫリソース）だけＡＣＫ／ＮＡＣＫリソースが利用される。さらに、ＬＴＥ−ＡシステムにおいてもＳＲ及び応答信号を同時に送信する場合にＬＴＥと同様の手法（すなわち、ＳＲリソース又はＡＣＫ／ＮＡＣＫリソースのいずれのリソースが用いられたかによってＳＲを伝達する手法）を用いようとすると、ＡＣＫ／ＮＡＣＫリソースと同一の数だけのＳＲリソースが必要となる。
【００２７】
すなわち、図５Ａに示すように、２つのＡＣＫ／ＮＡＣＫリソースを用いてChannel selectionが適用される場合において、ＳＲ及び応答信号を同時に送信する場合に上記ＬＴＥと同様の手法を用いようとすると、ＡＣＫ／ＮＡＣＫリソースと同数の２つのＳＲリソースが必要となる。そして、例えば、端末側でＳＲが発生せず応答信号のみを送信する場合（図５Ｂに示す応答信号のみ送信時）、端末は、応答信号に用いるシンボル（つまり、位相点）だけでなく、応答信号を２つのＡＣＫ／ＮＡＣＫリソース（図４ではＰＵＣＣＨ領域１，２）のいずれにマッピングしたかにも情報を載せて信号（応答信号）を送信する。これに対し、端末側でＳＲと応答信号とが同一サブフレーム内に発生した場合（図５Ｃに示す応答信号＋ＳＲ送信時）、端末は応答信号に用いるシンボル（つまり、位相点）だけでなく、応答信号を２つのＳＲリソースのいずれにマッピングしたかにも情報を載せて信号（応答信号）を送信する。
【００２８】
こうすることで、基地局は２つのＳＲリソースで構成される「ＳＲリソース群」及び２つのＡＣＫ／ＮＡＣＫリソースで構成される「ＡＣＫ／ＮＡＣＫリソース群」のいずれのリソース群に属するリソースが用いられたかによって、端末側でのＳＲの発生状況を認識することができる。さらに、基地局は、端末側で用いられたリソース群に属するどのリソースのどの位相点が用いられたかによって、各単位バンドにて送信された下り回線データの端末側での受信成否状況を認識することができる。
【００２９】
ここで、上述したように、Channel selectionが利用される場合には、ＳＲリソース及びＡＣＫ／ＮＡＣＫリソースをそれぞれ複数個ずつ（図５Ａでは２個ずつ）用意する必要がある。しかしながら、図５Ｂ〜Ｄに示すように、あるサブフレーム内では、これら４つのＰＵＣＣＨリソース（２つのＳＲリソース及び２つのＡＣＫ／ＮＡＣＫリソース）のうち１つのＰＵＣＣＨリソースしか用いられることはない。つまり、あるサブフレーム内では、４つのＰＵＣＣＨリソースのうち３つのＰＵＣＣＨリソースは常に使用されない。
【００３０】
このように、ＬＴＥ−Ａにおける応答信号の送信方法としてChannel selectionが適用される場合、ＳＲと応答信号とが同一サブフレーム内で同時に発生することを考慮に入れると、上り制御チャネル（ＰＵＣＣＨ）のオーバーヘッドが無駄に増加してしまう。
【００３１】
本発明の目的は、複数の下り単位バンドを用いたCarrier aggregation通信時に応答信号の送信方法としてChannel selectionを適用した場合でも、上り制御チャネル（ＰＵＣＣＨ）のオーバーヘッドの増加量を抑えることができる基地局、受信方法および集積回路を提供することである。
【課題を解決するための手段】
【００３２】
本発明の一態様に係る基地局は、一つ以上の下りcomponent carrierが設定された端末と通信する基地局であって、各下りcomponent carrierに割り当てられた下りデータのリソースを示す下り割当情報と、前記下りデータを、前記端末に送信する送信部と、前記下りデータに対する応答信号であって、前記端末から送信された応答信号を受信し、前記端末から送信されたスケジューリング・リクエスト（ＳＲ）を受信する受信部と、を有し、前記応答信号は、前記下りデータの復号の成否、又は、前記復号の成否を送信しないＤＴＸを示し、複数の下りcomponent carrierが設定された場合、前記複数の下りcomponent carrierにおける複数の下りデータに対する複数の応答信号が送信され、前記複数の応答信号が送信される場合、前記複数の応答信号は、前記複数の下りデータそれぞれの復号の成否に応じた位相点及び複数の応答信号用上り制御チャネルリソースの内の一つを用いて送信され、前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される構成を採る。
【００３３】
本発明の一態様に係る受信方法は、一つ以上の下りcomponent carrierが設定された端末から応答信号を受信する受信方法であって、各下りcomponent carrierに割り当てられた下りデータのリソースを示す下り割当情報と、前記下りデータを、前記端末に送信する工程と、前記下りデータに対する応答信号であって、前記端末から送信された応答信号を受信する工程と、前記端末から送信されたスケジューリング・リクエスト（ＳＲ）を受信する工程と、を有し、前記応答信号は、前記下りデータの復号の成否、又は、前記復号の成否を送信しないＤＴＸを示し、複数の下りcomponent carrierが設定された場合、前記複数の下りcomponent carrierにおける複数の下りデータに対する複数の応答信号が送信され、前記複数の応答信号が送信される場合、前記複数の応答信号は、前記複数の下りデータそれぞれの復号の成否に応じた位相点及び複数の応答信号用上り制御チャネルリソースの内の一つを用いて送信され、前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される。
【００３４】
本発明の一態様に係る集積回路は、一つ以上の下りcomponent carrierが設定された端末と通信する基地局における処理を制御する集積回路であって、各下りcomponent carrierに割り当てられた下りデータのリソースを示す下り割当情報と、前記下りデータを、前記端末に送信する処理と、検出された前記下り割当情報によって示される前記リソースで送信された前記下りデータを復号する処理と、前記下りデータに対する応答信号であって、前記端末から送信された応答信号を受信する処理と、前記端末から送信されたスケジューリング・リクエスト（ＳＲ）を受信する処理と、を制御し、前記応答信号は、前記下りデータの復号の成否、又は、前記復号の成否を送信しないＤＴＸを示し、複数の下りcomponent carrierが設定された場合、前記複数の下りcomponent carrierにおける複数の下りデータに対する複数の応答信号が送信され、前記複数の応答信号が送信される場合、前記複数の応答信号は、前記複数の下りデータそれぞれの復号の成否に応じた位相点及び複数の応答信号用上り制御チャネルリソースの内の一つを用いて送信され、前記複数の応答信号と前記ＳＲとが同一のサブフレームで送信される場合、前記複数の応答信号は、前記複数の下りデータそれぞれの復号の成否に応じた位相点及び一つのＳＲ用上り制御チャネルリソースを用いて送信される構成を採る。
【発明の効果】
【００３５】
本発明によれば、複数の下り単位バンドを用いたCarrier aggregation通信時に応答信号の送信方法としてChannel selectionを適用した場合でも、上り制御チャネル（ＰＵＣＣＨ）のオーバーヘッドの増加量を抑えることができる基地局、受信方法および集積回路を提供することができる。
【図面の簡単な説明】
【００３６】
【図１】応答信号及び参照信号の拡散方法を示す図
【図２】端末によるＳＲ及び応答信号の送信方法の説明に供する図
【図３】個別の端末に適用される非対称のCarrier aggregation及びその制御シーケンスの説明に供する図
【図４】Carrier aggregationが端末に適用される場合のＡＲＱ制御の説明に供する図
【図５】複数の下り単位バンドを用いたCarrier aggregation通信時に応答信号の送信方法としてChannel selectionを適用した場合における、端末によるＳＲ及び応答信号の送信方法の説明に供する図
【図６】本発明の実施の形態１に係る基地局の構成を示すブロック図
【図７】本発明の実施の形態１に係る端末の構成を示すブロック図
【図８】本発明の実施の形態１に係る端末によるＳＲ及び応答信号の送信方法の説明に供する図（端末に設定された下り単位バンド数が２つの場合）
【図９】本発明の実施の形態１に係るＡＣＫ／ＮＡＣＫリソース及びＳＲリソースにおける応答信号のマッピングの説明に供する図（端末に設定された下り単位バンド数が２つの場合）
【図１０】本発明の実施の形態１に係る端末によるＳＲ及び応答信号の送信方法の説明に供する図（端末に設定された下り単位バンド数が３つの場合）
【図１１】本発明の実施の形態１に係るＡＣＫ／ＮＡＣＫリソース及びＳＲリソースにおける応答信号のマッピングの説明に供する図（端末に設定された下り単位バンド数が３つの場合）
【図１２】本発明の実施の形態２に係る端末によるＳＲ及び応答信号の送信方法の説明に供する図
【図１３】本発明の実施の形態２に係るＡＣＫ／ＮＡＣＫリソース及びＳＲリソースにおける応答信号のマッピングの説明に供する図（マッピング例１）
【図１４】本発明の実施の形態２に係るＡＣＫ／ＮＡＣＫリソース及びＳＲリソースにおける応答信号のマッピングの説明に供する図（マッピング例２）
【図１５】本発明の実施の形態２に係るＡＣＫ／ＮＡＣＫリソース及びＳＲリソースにおける応答信号のマッピングの説明に供する図（マッピング例３）
【図１６】本発明の実施の形態２に係るＡＣＫ／ＮＡＣＫリソース及びＳＲリソースにおける応答信号のマッピングの説明に供する図（マッピング例４）
【図１７】本発明のバリエーションを示す図
【発明を実施するための形態】
【００３７】
以下、本発明の実施の形態について図面を参照して詳細に説明する。なお、実施の形態において、同一の構成要素には同一の符号を付し、その説明は重複するので省略する。
【００３８】
（実施の形態１）
［通信システムの概要］
後述する基地局１００及び端末２００を含む通信システムでは、上り単位バンド及び上り単位バンドと対応づけられた複数の下り単位バンドを使用した通信、つまり、端末２００独自の非対称Carrier aggregationによる通信が行われる。また、この通信システムには、端末２００と異なり、Carrier aggregationによる通信を行う能力が無く、１つの下り単位バンドとこれに対応付けられた１つの上り単位バンドによる通信（つまり、Ｃａｒｒｉｅｒ  ａｇｇｒｅｇａｔｉｏｎによらない通信）を行う端末も含まれている。
【００３９】
従って、基地局１００は、非対称Carrier aggregationによる通信及びCarrier aggregationによらない通信の両方をサポートできるように構成されている。
【００４０】
また、基地局１００と端末２００との間でも、基地局１００による端末２００に対するリソース割当によっては、Carrier aggregationによらない通信が行われることも可能である。
【００４１】
また、この通信システムでは、Carrier aggregationｎによらない通信が行われる場合には、従来通りのＡＲＱが行われる一方、Carrier aggregationによる通信が行われる場合には、ＡＲＱにおいてChannel Selectionが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Carrier aggregationによる通信を行う能力の無い端末は、例えば、ＬＴＥ端末である。
【００４２】
そして、以下では、次の事項を前提として説明する。すなわち、予め基地局１００と端末２００との間で、端末２００独自の非対称Carrier aggregationが構成されており、端末２００が用いるべき下り単位バンド及び上り単位バンドの情報が、基地局１００と端末２００との間で共有されている。
【００４３】
［基地局の構成］
図６は、本発明の実施の形態１に係る基地局１００の構成を示すブロック図である。図６において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００４４】
制御部１０１は、リソース割当対象端末２００に対して、制御情報を送信するための下りリソース（つまり、下り制御情報割当リソース）、及び、下り回線データを送信するための下りリソース（つまり、下りデータ割当リソース）を割り当てる（Assignする）。このリソース割当は、リソース割当対象端末２００に設定される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００４５】
下り制御情報割当リソースは、上記したＬ１／Ｌ２ＣＣＨと同等である。すなわち、下り制御情報割当リソースは、１つ又は複数のＣＣＥから構成される。また、各下り単位バンドにおける各ＣＣＥは、単位バンドグループ内の上り単位バンドにおける上り制御チャネル領域（ＰＵＣＣＨ領域）の構成リソースと１対１に対応付けられている（つまり、各CCEのIndexがPUCCHのIndexと１対１に対応付けられている）。すなわち、下り単位バンドｎにおける各ＣＣＥは、単位バンドグループ内の上り単位バンドにおけるＰＵＣＣＨ領域ｎの構成リソースと１対１に対応付けられている。
【００４６】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００４７】
そして、制御部１０１は、制御情報生成部１０２に対して、下りデータ割当リソースに関する情報を出力する。また、制御部１０１は、符号化部１０３に対して、符号化率に関する情報を出力する。また、制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下り回線データと当該下り回線データに対する下り制御情報を同一の下り単位バンドにマッピングするよう制御する。
【００４８】
制御情報生成部１０２は、下りデータ割当リソースに関する情報を含む制御情報を生成して符号化部１０３へ出力する。この制御情報は下り単位バンドごとに生成される。また、リソース割当対象端末２００が複数有る場合に、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報（Control information carrying downlink assignment）」と呼ばれることがある。
【００４９】
符号化部１０３は、制御部１０１から受け取る符号化率に従って、制御情報を符号化し、符号化された制御情報を変調部１０４へ出力する。
【００５０】
変調部１０４は、符号化後の制御情報を変調し、得られた変調信号をマッピング部１０８へ出力する。
【００５１】
符号化部１０５は、宛先端末２００ごとの送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、各下り単位バンドで送信される送信データをそれぞれ符号化し、符号化後の送信データをデータ送信制御部１０６へ出力する。
【００５２】
データ送信制御部１０６は、初回送信時には、符号化後の送信データを保持するとともに変調部１０７へ出力する。符号化後の送信データは、宛先端末２００ごとに保持される。また、１つの宛先端末２００への送信データは、送信される下り単位バンドごとに保持される。これにより、宛先端末２００に送信されるデータ全体の再送制御だけでなく、下り単位バンドごとの再送制御も可能になる。
【００５３】
また、データ送信制御部１０６は、再送制御信号生成部１１９からある下り単位バンドで送信した下り回線データに対するＮＡＣＫ又はＤＴＸを受け取ると、この下り単位バンドに対応する保持データを変調部１０７へ出力する。データ送信制御部１０６は、再送制御信号生成部１１９からある下り単位バンドで送信した下り回線データに対するＡＣＫを受け取ると、この下り単位バンドに対応する保持データを削除する。
【００５４】
変調部１０７は、データ送信制御部１０６から受け取る符号化後の送信データを変調し、変調信号をマッピング部１０８へ出力する。
【００５５】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００５６】
また、マッピング部１０８は、制御部１０１から受け取る下りデータ割当リソースの示すリソースに、変調部１０７から受け取る送信データの変調信号をマッピングし、ＩＦＦＴ部１０９へ出力する。
【００５７】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅およびアップコンバート等の送信処理が施され、アンテナを介して端末２００へ送信される。
【００５８】
無線受信部１１２は、端末２００から送信された応答信号又は参照信号をアンテナを介して受信し、応答信号又は参照信号に対しダウンコンバート、Ａ／Ｄ変換等の受信処理を行う。
【００５９】
ＣＰ除去部１１３は、受信処理後の応答信号又は参照信号に付加されているＣＰを除去する。
【００６０】
ＰＵＣＣＨ抽出部１１４は、受信信号に含まれるＰＵＣＣＨ信号から、Ｍ個のＳＲリソース及びＮ個のＡＣＫ／ＮＡＣＫリソースに対応するＰＵＣＣＨ領域（つまり、各ＰＵＣＣＨリソースに対応するＰＵＣＣＨ領域）をそれぞれ抽出し、抽出したＰＵＣＣＨ信号を、各リソースに対応する処理系統毎に振り分ける。なお、端末２００では、これらのＰＵＣＣＨリソースのうちいずれか１つのＰＵＣＣＨリソースを用いて、上り制御情報（すなわち、ＳＲ、応答信号、又は、ＳＲ及び応答信号の両方）が送信される。
【００６１】
逆拡散部１１５−ｘ及び相関処理部１１７−ｘは、ｘ番目のＰＵＣＣＨリソース（ＳＲリソース又はＡＣＫ／ＮＡＣＫリソース。ただし、ｘ＝１〜（Ｍ＋Ｎ））に対応するＰＵＣＣＨ領域から抽出されたＰＵＣＣＨ信号の処理を行う。基地局１００には、基地局１００が利用するＰＵＣＣＨリソースｘ（ＳＲリソース又はＡＣＫ／ＮＡＣＫリソース。ただし、ｘ＝１〜（Ｍ＋Ｎ））のそれぞれに対応する逆拡散部１１５及び相関処理部１１７の処理系統が設けられている。
【００６２】
具体的には、逆拡散部１１５は、端末２００がそれぞれのＰＵＣＣＨリソース（ＳＲリソース又はＡＣＫ／ＮＡＣＫリソース）で２次拡散に用いるべきウォルシュ系列で応答信号に相当する部分の信号を逆拡散し、逆拡散後の信号を相関処理部１１７に出力する。また、逆拡散部１１５は、端末２００がそれぞれのＰＵＣＣＨリソース（ＳＲリソース又はＡＣＫ／ＮＡＣＫリソース）において参照信号の拡散に用いるべきＤＦＴ系列で参照信号に相当する部分の信号を逆拡散し、逆拡散後の信号を相関処理部１１７に出力する。
【００６３】
系列制御部１１６は、端末２００から送信される応答信号及び参照信号の拡散に用いられる可能性があるＺＡＣ系列を生成する。また、系列制御部１１６は、端末２００が用いる可能性のあるＰＵＣＣＨリソースに基づいて、（Ｍ＋Ｎ）個のＰＵＣＣＨリソース（ＳＲリソース及びＡＣＫ／ＮＡＣＫリソース）にそれぞれ対応する相関窓を特定する。そして、系列制御部１１６は、特定した相関窓を示す情報および生成したＺＡＣ系列を相関処理部１１７に出力する。
【００６４】
相関処理部１１７は、系列制御部１１６から入力される相関窓を示す情報およびＺＡＣ系列を用いて、逆拡散部１１５から入力される信号と、端末２００において１次拡散に用いられる可能性のあるＺＡＣ系列との相関値を求めて判定部１１８に出力する。
【００６５】
判定部１１８は、相関処理部１１７から入力される相関値に基づいて、ＳＲ及び応答信号が端末２００から送信されているか否かを判定する。すなわち、判定部１１８は、（Ｍ＋Ｎ）個のＰＵＣＣＨリソース（ＳＲリソース及びＡＣＫ／ＮＡＣＫリソース）のうちいずれが端末２００によって用いられているか、又は、いずれも端末２００によって用いられていないのかを判定する。
【００６６】
例えば、判定部１１８は、端末が下り回線データに対する応答信号を送信すべきタイミングにおいて、端末２００によりＭ個のＳＲリソースのうちいずれかが用いられていると判定した場合には、端末２００からはＳＲ及び応答信号の双方が送信されていると判定する。また、判定部１１８は、端末２００が下り回線データに対する応答信号を送信すべきタイミング以外のタイミングにおいて、端末２００によりＭ個のＳＲリソースのうちいずれか（もしくは、予め決められた１つのＳＲリソース）が用いられていると判定した場合には、端末２００からはＳＲのみが送信されていると判定する。また、判定部１１８は、端末２００によりＮ個のＡＣＫ／ＮＡＣＫリソースのうちいずれかが用いられていると判定した場合には、端末２００からは応答信号のみが送信されていると判定する。また、判定部１１８は、端末によりいずれのリソースも用いられていないと判定した場合には、端末２００からはＳＲも応答信号も送信されていないと判定する。
【００６７】
更に、判定部１１８は、端末２００がＳＲを送信していると判定した場合にはＳＲに関する情報を上り回線リソース割当制御部（図示せず）に出力する。また、判定部１１８は、端末２００が応答信号を送信していると判定した場合には、当該応答信号がどの位相点を示しているかを同期検波によって判定する。詳細には、初めに判定部１１８は、相関処理部１１７−１〜１１７−（Ｍ＋Ｎ）に対応するどのＰＵＣＣＨリソースにおいて最大の相関値が検出されたかを判定する。次に、判定部１１８は、最大の相関値が検出されたＰＵＣＣＨリソースにおいて送信された応答信号の位相点を特定し、そのＰＵＣＣＨリソース、その特定された位相点、及び自局が端末２００に対して下り回線データを送信した下り単位バンドの数と対応する受信状況パターンを特定する。そして、判定部１１８は、特定された受信状況パターンに基づいて、各下り単位バンドにおいて送信されたデータに対するＡＣＫ信号又はＮＡＣＫ信号を個別に生成し、再送制御信号生成部１１９に出力する。ただし、判定部１１８は、各ＰＵＣＣＨリソースに対応して求められた相関値の全てが或る閾値以下であれば、端末２００からは何も応答信号が送信されていないと判定し、全ての下り回線データに対してＤＴＸを生成し、再送制御信号生成部１１９に出力する。
【００６８】
また、上り回線リソース割当制御部（図示せず）がＳＲを受け取ると、当該端末２００が上り回線データを送信できるように、基地局１００は、上りデータ割当リソースを通知する上り割当制御情報（Uplink Grantと称されることもある）を端末２００へ送信する。このようにして、基地局１００は、上り制御チャネルに基づいて、端末２００への上り回線データ向けのリソース割当の要否を判断する。なお、上り回線リソース割当制御部における動作の詳細、及び、基地局１００における、端末２００に対する上り回線データ向けのリソース割当動作の詳細については省略する。
【００６９】
再送制御信号生成部１１９は、判定部１１８から入力される情報に基づいて、各下り単位バンドで送信したデータ（下り回線データ）に対する再送制御信号を生成する。具体的には、再送制御信号生成部１１９は、ＮＡＣＫを示す応答信号又はＤＴＸを受け取る場合には、再送命令を示す再送制御信号を生成して、再送制御信号をデータ送信制御部１０６へ出力する。また、再送制御信号生成部１１９は、ＡＣＫを示す応答信号を受け取る場合には、再送しないことを示す再送制御信号を生成して、再送制御信号をデータ送信制御部１０６へ出力する。
【００７０】
［端末の構成］
図７は、本発明の実施の形態１に係る端末２００の構成を示すブロック図である。図７において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、応答信号生成部２１２と、変調部２１３と、１次拡散部２１４と、２次拡散部２１５と、ＩＦＦＴ部２１６と、ＣＰ付加部２１７と、無線送信部２１８とを有する。
【００７１】
無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。
【００７２】
ＣＰ除去部２０２は、受信処理後のＯＦＤＭ信号に付加されているＣＰを除去する。
【００７３】
ＦＦＴ部２０３は、受信ＯＦＤＭ信号をＦＦＴして周波数領域信号に変換し、得られた受信信号を抽出部２０４へ出力する。
【００７４】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００７５】
また、抽出部２０４は、判定部２０７から受け取る自装置宛の下りデータ割当リソースに関する情報に基づいて、受信信号から下り回線データを抽出し、復調部２０９へ出力する。
【００７６】
復調部２０５は、抽出部２０４から受け取る下り制御チャネル信号を復調し、得られた復調結果を復号部２０６に出力する。
【００７７】
復号部２０６は、入力される符号化率情報に従って、復調部２０５から受け取る復調結果を復号して、得られた復号結果を判定部２０７に出力する。
【００７８】
判定部２０７は、復号部２０６から受け取る復号結果に含まれる制御情報が自装置宛の制御情報であるか否かをブラインド判定する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。
【００７９】
また、判定部２０７は、各下り単位バンドの下り制御チャネルにおいて、上記した自装置宛の制御情報がマッピングされていたＣＣＥをそれぞれ特定し、特定したＣＣＥの識別番号（すなわち、CCE index）を制御部２０８へ出力する。
【００８０】
制御部２０８は、判定部２０７から受け取るＣＣＥ識別番号に基づいて、ｎ番目（ｎ＝１〜Ｎ番目）の単位バンドにおいて受信された下り制御情報がマッピングされていたＣＣＥに対応するＰＵＣＣＨリソース(周波数・符号)、つまり、ＰＵＣＣＨ領域ｎ内の「ＰＵＣＣＨリソースｎ（つまり、ＡＣＫ／ＮＡＣＫリソースｎ）」を特定する。そして、制御部２０８は、特定したＮ個のＡＣＫ／ＮＡＣＫリソース、及び、基地局１００から予め通知されているＭ個のＳＲリソースのうち、どのＰＵＣＣＨリソースを用いて応答信号を送信するかを決定する。
【００８１】
具体的には、制御部２０８は、上り回線データ生成部（図示せず）から受け取るＳＲの発生状況情報と、ＣＲＣ部２１１から受け取る各下り単位バンドにおける下り回線データの誤り検出結果（つまり、受信成否のパターン）とに基づいて、後述する応答信号の送信ルール（マッピングルール）に従って、ＰＵＣＣＨリソースのいずれを使用し、いずれの位相点を設定して信号を送信するかを決定する。
【００８２】
そして、制御部２０８は、設定すべき位相点に関する情報を応答信号生成部２１２へ出力し、使用すべきＰＵＣＣＨリソースに対応するＺＡＣ系列及び循環シフト量を１次拡散部２１４へ出力し、周波数リソース情報をＩＦＦＴ部２１６に出力する。ただし、制御部２０８は、上り回線データ生成部からＳＲを受け取ったサブフレームで送信すべき応答信号が存在しない場合（すなわち、下り割当制御情報が１つも検出されなかった場合）、応答信号生成部２１２に対して「ＮＡＣＫ」を変調部２１３へ出力するように指示する。また、制御部２０８は、使用すべきＰＵＣＣＨリソースに対応するウォルシュ系列及びＤＦＴ系列を２次拡散部２１５へ出力する。制御部２０８による、ＰＵＣＣＨリソース及び位相点の制御の詳細については後述する。
【００８３】
復調部２０９は、抽出部２０４から受け取る下り回線データを復調し、復調後の下り回線データを復号部２１０へ出力する。
【００８４】
復号部２１０は、復調部２０９から受け取る下り回線データを復号し、復号後の下り回線データをＣＲＣ部２１１へ出力する。
【００８５】
ＣＲＣ部２１１は、復号部２１０から受け取る復号後の下り回線データを生成し、ＣＲＣを用いて下り単位バンドごとに誤り検出し、ＣＲＣ＝ＯＫ（誤り無し）の場合にはＡＣＫを、ＣＲＣ＝ＮＧ（誤り有り）の場合にはＮＡＣＫを、制御部２０８へ出力する。また、ＣＲＣ部２１１は、ＣＲＣ＝ＯＫ（誤り無し）の場合には、復号後の下り回線データを受信データとして出力する。
【００８６】
応答信号生成部２１２は、制御部２０８から指示される応答信号の位相点に基づいて応答信号及び参照信号を生成し、変調部２１３へ出力する。
【００８７】
変調部２１３は、応答信号生成部２１２から入力される応答信号及び参照信号を変調して１次拡散部２１４へ出力する。
【００８８】
１次拡散部２１４は、制御部２０８によって設定されたＺＡＣ系列及び循環シフト量に基づいて応答信号及び参照信号を１次拡散し、１次拡散後の応答信号及び参照信号を２次拡散部２１５へ出力する。すなわち、１次拡散部２１４は、制御部２０８からの指示に従って、応答信号及び参照信号を１次拡散する。ここで、「拡散」とは、具体的には１シンボルの情報で表される応答信号に対してＺＡＣ系列を乗算することである。
【００８９】
２次拡散部２１５は、制御部２０８によって設定されたウォルシュ系列及びＤＦＴ系列を用いて応答信号及び参照信号を２次拡散し、２次拡散後の信号をＩＦＦＴ部２１６へ出力する。つまり、２次拡散部２１５は、１次拡散後の応答信号及び参照信号を制御部２０８で選択されたＰＵＣＣＨリソースに対応するウォルシュ系列及びＤＦＴ系列を用いて２次拡散し、拡散後の信号をＩＦＦＴ部２１６へ出力する。
【００９０】
ＣＰ付加部２１７は、ＩＦＦＴ後の信号の後尾部分と同じ信号をＣＰとしてその信号の先頭に付加する。
【００９１】
無線送信部２１８は、入力される信号に対しＤ／Ａ変換、増幅およびアップコンバート等の送信処理を行う。そして、無線送信部２１８は、アンテナから基地局１００へ信号を送信する。
【００９２】
［端末２００の動作］
以上の構成を有する端末２００の動作について説明する。
【００９３】
＜端末２００による下り割当制御情報及び下り回線データの受信＞
端末２００では、自装置に設定された単位バンドグループの全ての下り単位バンドにおいて、サブフレーム毎に自装置宛の下り割当制御情報が送信されているか否かをブラインド判定する。
【００９４】
具体的には、判定部２０７は、各下り単位バンドの下り制御チャネルに自装置宛の下り割当制御情報が含まれているか否かを判定する。そして、判定部２０７は、自装置宛の下り割当制御情報が含まれていると判定した場合には、その下り割当制御情報を抽出部２０４へ出力する。また、判定部２０７は、自装置宛の下り割当制御情報を検出した下り単位バンドの識別情報を制御部２０８へ出力する。これにより、いずれの下り単位バンドにおいて自装置宛の下り割当制御情報が検出されたかが制御部２０８に通知される。
【００９５】
抽出部２０４は、判定部２０７から受け取る下り割当制御情報に基づいて、受信信号から下り回線データを抽出する。抽出部２０４は、下り割当制御情報に含まれるリソース情報に基づいて、受信信号から下り回線データを抽出する。
【００９６】
例えば、下り単位バンド１で送信される下り割当制御情報には、下り単位バンド１で送信される下り回線データ（DL data）の送信に用いられるリソースに関する情報が含まれ、下り単位バンド２で送信される下り割当制御情報には、下り単位バンド２で送信される下り回線データの送信に用いられるリソースに関する情報が含まれる。
【００９７】
従って、端末２００は、下り単位バンド１で送信される下り割当制御情報及び下り単位バンド２で送信される下り割当制御情報を受信することにより、下り単位バンド１及び下り単位バンド２の両方で下り回線データを受信することができる。逆に、端末がある下り単位バンドにおいて下り割当制御情報を受信することができなければ、端末２００は、当該下り単位バンドにおける下り回線データを受信することができない。
【００９８】
＜端末２００による応答、及びＳＲの送信＞
ＣＲＣ部２１１は、受信に成功した下り割当制御情報に対応する下り回線データについて誤り検出を行い、誤り検出結果を制御部２０８へ出力する。
【００９９】
そして、制御部２０８は、上り回線データ生成部（図示せず）から受け取るＳＲの発生状況と、ＣＲＣ部２１１から受け取る誤り検出結果とに基づいて、次のように応答信号の送信制御を行う。図８及び図９は、端末２００に設定された下り単位バンドが２つの場合における端末２００によるＳＲ及び応答信号の送信方法の説明に供する図であり、図１０及び図１１は、端末２００に設定された下り単位バンドが３つの場合における端末２００によるＳＲ及び応答信号の送信方法の説明に供する図である。
【０１００】
＜端末２００による応答、及びＳＲの送信：下り単位バンドが２つの場合＞
以下の説明では、端末２００に設定された下り単位バンドを２つ（下り単位バンド１，２）とする。また、下り単位バンド１で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース１と定義し、下り単位バンド２で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース２と定義している。
【０１０１】
また、以下の説明では、基地局１００は、端末２００に対して、図４に示す上り単位バンド（端末２００に設定された上り単位バンド）内において、ＳＲを送信するためのリソース（図８Ａに示すＳＲリソース）に関する情報を独立に通知する。つまり、端末２００の制御部２０８は、基地局１００から別のシグナリング手段（例えば、Higher layer signaling)によって通知されたＳＲリソースに関する情報を保持している。
【０１０２】
また、端末２００では、各下り単位バンド１，２のＰＤＣＣＨを構成する複数のＣＣＥのうち、自機が受信した下り割当制御情報が占有していたＣＣＥに対応付けられたＡＣＫ／ＮＡＣＫリソースを、ＡＣＫ／ＮＡＣＫリソース１又は２として特定する。
【０１０３】
ここで、図８Ａにおいて、ＳＲリソース及びＡＣＫ／ＮＡＣＫリソース１，２は、ＺＡＣ系列（１次拡散）又はウォルシュ系列／ＤＦＴ系列のうち少なくとも一方が異なる、互いに異なる符号リソースである。
【０１０４】
このときの端末２００の動作について、図９Ａ及び図９Ｂを援用して詳細に説明する。ただし、図９Ａに示すＡＣＫ／ＮＡＣＫリソース１，２、及び、図９Ｂに示すＳＲリソースは、図８Ａ〜Ｄに示すＡＣＫ／ＮＡＣＫリソース１，２及びＳＲリソースにそれぞれ対応する。また、図９Ａ及び図９Ｂにおいて、「Ａ」はＡＣＫを示し、「Ｎ」はＮＡＣＫを示し、「Ｄ」はＤＴＸを示す。また、図９Ａ及び図９Ｂにおいて、例えば、「Ａ／Ｎ」は、下り単位バンド１（ＣＣ１）に対応する応答信号がＡＣＫ、下り単位バンド２（ＣＣ２）に対応する応答信号がＮＡＣＫの状態を示し、「Ｎ／Ｄ」は、下り単位バンド１（ＣＣ１）に対応する応答信号がＮＡＣＫ、且つ、下り単位バンド２（ＣＣ２）で送信される下りデータに対応する下り割当制御情報を検出できなかった状況（すなわち、下り単位バンド２（ＣＣ２）に対するＤＴＸ）を表している。また、図９Ｂにおいて、例えば、「ＳＲ＋Ａ／Ｎ」は、ＳＲリソースを用いて「Ａ／Ｎ」が送信される状態を示す。このとき、基地局１００は、ＳＲリソースが用いられているか否かに基づいて端末２００側からのＳＲを検出し、信号がマッピングされた位相点に基づいて応答信号が「Ａ／Ｎ」であると判定する。
【０１０５】
まず、端末２００が応答信号のみを送信する場合（図８Ｂに示す応答信号のみ送信時）には、端末２００は、図９Ａに示すように、各下り単位バンド１，２で送信された下りデータに対応する下り割当制御情報が占有していたＣＣＥと関連付けられたＡＣＫ／ＮＡＣＫリソース１，２を用いて、Channel Selectionの動作を行う。具体的には、端末２００の制御部２０８は、下り割当制御情報と対応する、各下り単位バンド１，２で送信された自機宛の下り回線データの受信成否（誤り検出結果）のパターン（状態）に基づいて、図９Ａに示される応答信号の送信ルール（マッピングルール）を用いて応答信号を送信する。
【０１０６】
ここで注目すべき点は、下り単位バンド１（ＣＣ１）に対するＤＴＸが発生している状態（Ｄ／Ａ及びＤ／Ｎ）は、図９Ａに示すＡＣＫ／ＮＡＣＫリソース１ではなく、ＡＣＫ／ＮＡＣＫリソース２の位相点によって全て通知される点である。これは、端末２００が下り単位バンド１における下り回線データに対応する下り割当制御情報を検出しなかった場合（すなわち、ＤＴＸの場合）、端末２００側で用いるべきＡＣＫ／ＮＡＣＫリソース１を特定することができないためである。同様に、下り単位バンド２（ＣＣ２）に対するＤＴＸが発生している状態（Ａ／Ｄ及びＮ／Ｄ）は、図９Ａに示すＡＣＫ／ＮＡＣＫリソース２ではなく、ＡＣＫ／ＮＡＣＫリソース１の位相点によって全て通知される。これは、端末２００が下り単位バンド２における下り回線データに対応する下り割当制御情報を検出しなかった場合（すなわち、ＤＴＸの場合）、端末２００側で用いるべきＡＣＫ／ＮＡＣＫリソース２を特定することができないためである。このように、ＡＣＫ／ＮＡＣＫリソースでは、ＤＴＸが発生している状態を通知するのに用いることができるリソースに制限がある。
【０１０７】
仮に、図９Ａにおいて、全てがＮＡＣＫ又はＤＴＸである状態Ｎ／Ｄ，Ｄ／Ｎ，Ｎ／Ｎの３状態全てを同一のリソース且つ同一の位相点で通知することができれば、全ての状態（図９Ａに示す全８状態（８つの受信成否のパターン））を通知するために必要な位相点は合計で４つとなる。つまり、図９Ａに示す２つのＡＣＫ／ＮＡＣＫリソースのうちいずれかを削減することが可能となる。しかし、上記ＡＣＫ／ＮＡＣＫリソースの制限によって、図８Ｂに示すように、端末２００が応答信号のみを送信する場合には、２つのＡＣＫ／ＮＡＣＫリソース１，２（つまり、端末２００に設定された下り単位バンドの数と同数のリソース）が必要となる。
【０１０８】
これに対し、端末２００が同一サブフレーム内でＳＲと応答信号とを同時に送信する場合（図８Ｃに示すＳＲ＋応答信号送信時）には、端末２００は、図９Ｂに示すように、基地局１００から別のシグナリング手段によって通知されているＳＲリソースを用いて、応答信号を送信する。具体的には、端末２００の制御部２０８は、自機宛の下り割当制御情報と対応する下り回線データの受信成否（誤り検出結果）のパターン（状態）に基づいて、図９Ｂに示される応答信号の送信ルール（マッピングルール）を用いて応答信号を送信する。
【０１０９】
ここで、同一サブフレーム内にＳＲと応答信号とが同時に発生した場合（図８Ｃに示すＳＲ＋応答信号送信時）に用いる応答信号の送信ルール（マッピングルール）（図９Ｂ）について説明する。
【０１１０】
図９Ｂにおいて、２つの下り割当制御情報及び各下り割当制御情報に対応する下り単位バンド１，２で送信された下り回線データの全ての受信に成功した場合には、（−１，０）の位相点が用いられる。すなわち、図９Ｂでは、「Ａ／Ａ」と、ＳＲリソースの位相点（−１，０）とが対応付けられている。
【０１１１】
また、２つの下り割当制御情報に対応する下り単位バンド１，２の下り回線データのうち、下り単位バンド１の下り回線データの受信に成功し、下り単位バンド２の下り回線データの受信に失敗した場合には、（０，−ｊ）の位相点が用いられる。すなわち、図９Ｂでは、「Ａ／Ｎ」、「Ａ／Ｄ」と、ＳＲリソースの位相点（０，−ｊ）とが対応付けられている。
【０１１２】
また、２つの下り割当制御情報に対応する下り単位バンド１，２の下り回線データのうち、下り単位バンド１の下り回線データの受信に失敗し、下り単位バンド２の下り回線データの受信に成功した場合には、（０，ｊ）の位相点が用いられる。すなわち、図９Ｂでは、「Ｎ／Ａ」、「Ｄ／Ａ」と、ＳＲリソースの位相点（０，ｊ）とが対応付けられている。
【０１１３】
また、２つの下り割当制御情報に対応する下り単位バンド１，２の下り回線データの全ての受信に失敗した場合には、（１，０）の位相点が用いられる。すなわち、図９Ｂでは、「Ｎ／Ｎ」、「Ｄ／Ｎ」、「Ｎ／Ｄ」と、ＳＲリソースの位相点（１，０）とが対応付けられている。
【０１１４】
つまり、図９Ｂ（同一サブフレーム内でＳＲと応答信号とが同時に発生した場合）に示す送信ルール（マッピングルール）では、受信成否（誤り検出結果）のパターン候補と、ＳＲリソースにおける応答信号の位相点とが対応付けられ、パターンに含まれるＡＣＫの数及びパターン内におけるＡＣＫの位置（すなわち、受信に成功した下り回線データが割り当てられた下り単位バンド）の少なくとも１つが互いに異なるパターン候補群には、ＳＲリソース内の互いに異なる位相点が対応付けられる。つまり、図９Ｂでは、受信成否（誤り検出結果）のパターン候補と、ＳＲリソースにおける応答信号の位相点とが対応付けられ、パターンに含まれるＡＣＫの数が異なるパターン候補群には、ＳＲリソース内の互いに異なる位相点が対応付けられ、パターンに含まれるＡＣＫの数が同じであり、パターン内におけるＡＣＫの位置（すなわち、受信に成功した下り回線データが割り当てられた下り単位バンド）が異なるパターン候補群にも、ＳＲリソース内の互いに異なる位相点が対応付けられる。こうすることで、検出された下り割当制御情報に対応する下り回線データの全ての受信に成功した場合でも、受信に成功した下り回線データの数（ＡＣＫの数）が異なる場合、又は、受信に成功した下り回線データの数（ＡＣＫの数）が同じであっても受信に成功した下り回線データが割り当てられた下り単位バンド（ＡＣＫの位置）が異なる場合には、応答信号に対してＳＲリソース内の互いに異なる位相点が用いられる。
【０１１５】
例えば、図９Ｂでは、全ての下り単位バンドで下り回線データの受信に成功した場合（「Ａ／Ａ」）には、位相点（−１，０）が用いられ、下り単位バンド１で下り回線データの受信に成功し、下り単位バンド２で下り回線データの受信に失敗した場合（「Ａ／Ｎ」、「Ａ／Ｄ」）には、位相点（０，−ｊ）が用いられ、下り単位バンド１で下り回線データの受信に失敗し、下り単位バンド２で下り回線データの受信に成功した場合（「Ｎ／Ａ」、「Ｄ／Ａ」）には、位相点（０，ｊ）が用いられ、全ての下り単位バンドで下り回線の受信に成功しなかった場合（「Ｎ／Ｎ」、「Ｄ／Ｎ」、「Ｎ／Ｄ」）には、位相点（−１，０）が用いられる。
【０１１６】
ここで、図９Ｂに示すＳＲリソースは、基地局１００から端末２００へ別のシグナリング手段（例えば、Higher layer signaling)によって通知される。よって、図９Ｂ（図８Ｃに示すＳＲ＋応答信号送信時）では、上述した図９Ａ（図８Ｂに示す応答信号のみ送信時）のような制限はなく、状態Ｎ／Ｄ，Ｄ／Ｎ，Ｎ／Ｎの３状態全てを同一のリソース且つ同一の位相点（ここでは位相点（１，０））に対応付けることが可能となる。よって、図９Ｂでは、全ての状態（図９Ｂに示す全８状態（８つの受信成否のパターン））を通知するために必要な位相点は合計で４つとなる。
【０１１７】
つまり、図９Ａでは、上記制限により、全ての状態（受信成否パターン）を通知するために必要な位相点は合計で５つとなり、下り単位バンド１，２の応答信号を通知するためのＡＣＫ／ＮＡＣＫリソースが２つ必要となる。これに対し、図９Ｂでは、ＳＲ及び下り単位バンド１，２の応答信号を同時に通知するためのＳＲリソース（ＰＵＣＣＨリソース）は１つでよい。
【０１１８】
このように、端末２００がＳＲと応答信号とを同時に送信する場合には、図９Ｂに示すようなマッピングを用いることにより、応答信号の送信方法としてChannel selectionを適用した場合でも、ＳＲリソースの数を抑えることができる。例えば、図５Ａと図８Ａとを比較すると、図５Ａでは、ＰＵＣＣＨリソース（ＳＲリソースとＡＣＫ／ＮＡＣＫリソース）が４つ必要であったのに対し、図８ＡではＰＵＣＣＨリソース（ＳＲリソースとＡＣＫ／ＮＡＣＫリソース）が３つで済む。すなわち、図８Ａでは、図５Ａに対してＰＵＣＣＨリソースを１つ削減できており、上り制御チャネル（ＰＵＣＣＨ）のオーバーヘッドの増加が抑えられている。
【０１１９】
また、図９Ｂにおいて、注目すべき点は、端末２００側で下り単位バンド１，２に対する応答信号がいずれもＡＣＫである場合（図９Ｂに示す「Ａ／Ａ」）と、端末２００側で下り単位バンド１，２に対する応答信号がいずれもＮＡＣＫ又はＤＴＸである場合（図９Ｂに示す「Ｎ／Ｎ」、「Ｄ／Ｎ」、「Ｎ／Ｄ」）とを、受信成否（誤り検出結果）のパターン候補群が採り得る位相点（４つの位相点）のうち最も離れた位相点にそれぞれ対応付けている点である。
【０１２０】
換言すると、図９Ｂでは、ＳＲリソース内の隣接する位相点（つまり、位相差が９０度（π／２ラジアン）となる位相点）を用いて通知される応答信号の状態（受信成否のパターン候補群）同士は、１つの下り単位バンドにおける受信状況のみが互いに異なる。例えば、図９Ｂに示すＳＲリソースにおいて、位相点（−１，０）を用いて通知される状態「Ａ／Ａ」と、位相点（０，ｊ）（位相点（−１，０）との位相差９０度）を用いて通知される状態「Ｎ／Ａ」及び「Ｄ／Ａ」とは、下り単位バンド１（ＣＣ１）の受信状況のみが互いに異なる。同様に、図９Ｂに示すＳＲリソースにおいて、位相点（−１，０）を用いて通知される状態「Ａ／Ａ」と、位相点（０，−ｊ）（位相点（−１，０）との位相差９０度）を用いて通知される状態「Ａ／Ｎ」及び「Ａ／Ｄ」とは、下り単位バンド２（ＣＣ２）の受信状況のみが互いに異なる。他の位相点についても同様である。
【０１２１】
こうすることによって、基地局１００側（判定部１１８）では、仮に位相点の判定を誤った場合でも、再送制御を誤る単位バンドの数を最小限に抑えることができるため、再送効率の劣化を最小化することができる。
【０１２２】
また、端末２００がＳＲのみを送信する場合（図８Ｄに示すＳＲのみ送信時）には、端末２００は、図９Ｂに示すように、基地局１００から別途通知されるＳＲリソースを用いて、ＳＲを送信する。このとき、端末２００の制御部２０８は、図９Ｂに示す、全てがＮＡＣＫ（又はＤＴＸ）である状態（受信成否のパターン）と同一の位相点（１，０）を用いてＳＲを送信する。
【０１２３】
＜端末２００による応答及びＳＲの送信：下り単位バンドが３つの場合＞
以下の説明では、端末２００に設定された下り単位バンドを３つ（下り単位バンド１，２，３）とする。また、下り単位バンド１で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース１と定義し、下り単位バンド２で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース２と定義し、下り単位バンド３で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース３と定義している。
【０１２４】
また、以下の説明では、基地局１００は、端末２００に対して、図４に示す上り単位バンド（端末２００に設定された上り単位バンド）内において、ＳＲを送信するための２つのリソース（図１０Ａに示すＳＲリソース１，２）に関する情報を別途通知する。つまり、端末２００の制御部２０８は、基地局１００から通知されたＳＲリソース１，２に関する情報を保持している。
【０１２５】
また、端末２００では、各下り単位バンド１，２，３のＰＤＣＣＨを構成する複数のＣＣＥのうち、自機が受信した下り割当制御情報が占有していたＣＣＥに対応付けられたＡＣＫ／ＮＡＣＫリソースを、ＡＣＫ／ＮＡＣＫリソース１，２又は３として特定する。
【０１２６】
ここで、図１０Ａにおいて、ＳＲリソース１，２及びＡＣＫ／ＮＡＣＫリソース１，２，３は、ＺＡＣ系列（１次拡散）又はウォルシュ系列／ＤＦＴ系列のうち少なくとも一方が異なる、互いに異なる符号リソースである。
【０１２７】
このときの端末２００の動作について、図１１Ａ及び図１１Ｂを援用して詳細に説明する。ただし、図１１Ａに示すＡＣＫ／ＮＡＣＫリソース１，２，３、及び、図１１Ｂに示すＳＲリソース１，２は、図１０Ａ〜Ｄに示すＡＣＫ／ＮＡＣＫリソース１，２，３及びＳＲリソース１，２にそれぞれ対応する。また、図１１Ａ及び図１１Ｂにおいて、例えば、「Ａ／Ｎ／Ｎ」は、下り単位バンド１（ＣＣ１）に対応する応答信号がＡＣＫ、下り単位バンド２（ＣＣ２）及び下り単位バンド３（ＣＣ３）に対応する応答信号がＮＡＣＫの状態を示し、「Ｎ／Ｄ／Ｄ」は、下り単位バンド１（ＣＣ１）に対応する応答信号がＮＡＣＫ、且つ、下り単位バンド２（ＣＣ２）及び下り単位バンド３（ＣＣ３）で送信される下り回線データに対応する下り割当制御情報を検出できなかった状況（すなわち、下り単位バンド２（ＣＣ２）及び下り単位バンド３（ＣＣ３）に対するＤＴＸ）を表している。また、図１１Ｂにおいて、例えば、「ＳＲ＋Ａ／Ｎ／Ｎ」は、ＳＲリソースを用いて「Ａ／Ｎ／Ｎ」が送信される状態を示す。
【０１２８】
まず、端末２００が応答信号のみを送信する場合（図１０Ｂに示す応答信号のみ送信時）には、端末２００は、図１１Ａに示すように、各下り単位バンド１，２，３で送信された下り回線データに対応する下り割当制御情報が占有していたＣＣＥに関連付けられたＡＣＫ／ＮＡＣＫリソース１，２，３を用いて、Channel Selectionの動作を行う。具体的には、端末２００の制御部２０８は、各下り単位バンド１，２，３で送信された自機宛の下り回線データに対応する下り割当制御情報と関連付けられた下り回線データの受信成否（誤り検出結果）のパターン（状態）に基づいて、図１１Ａに示される応答信号の送信ルール（マッピングルール）を用いて応答信号を送信する。
【０１２９】
ここで注目すべき点は、下り単位バンド１（ＣＣ１）及び下り単位バンド２（ＣＣ２）に対するＤＴＸが発生している状態（Ｄ／Ｄ／Ａ及びＤ／Ｄ／Ｎ）は、図１１Ａに示すＡＣＫ／ＮＡＣＫリソース１，２ではなく、ＡＣＫ／ＮＡＣＫリソース３の位相点によって全て通知される点である。これは、端末２００が下り単位バンド１，２で送信される下り回線データに対応する下り割当制御情報を検出しなかった場合（すなわち、ＤＴＸの場合）、端末２００側で用いるべきＡＣＫ／ＮＡＣＫリソース１，２を特定することができないためである。同様にして、下り単位バンド２（ＣＣ２）及び下り単位バンド３（ＣＣ３）に対するＤＴＸが発生している状態（Ａ／Ｄ／Ｄ及びＮ／Ｄ／Ｄ）は、ＡＣＫ／ＮＡＣＫリソース１の位相点によって全て通知され、下り単位バンド１（ＣＣ１）及び下り単位バンド３（ＣＣ３）に対するＤＴＸが発生している状態（Ｄ／Ａ／Ｄ及びＤ／Ｎ／Ｄ）は、ＡＣＫ／ＮＡＣＫリソース２の位相点によって全て通知される。また、下り単位バンド１に対するＤＴＸが発生している状態は、図１１Ａに示すＡＣＫ／ＮＡＣＫリソース１以外のＡＣＫ／ＮＡＣＫリソース２，３の位相点によって通知される。下り単位バンド２，３に対するＤＴＸが発生している状態についても同様である。このように、ＡＣＫ／ＮＡＣＫリソースでは、ＤＴＸが発生している状態を通知するのに用いることができるリソースに制限がある。
【０１３０】
仮に、図１１Ａにおいて、全てがＮＡＣＫ又はＤＴＸである状態Ｎ／Ｎ／Ｎ，Ｎ／Ｎ／Ｄ，Ｎ／Ｄ／Ｎ，Ｎ／Ｄ／Ｄ，Ｄ／Ｎ／Ｎ，Ｄ／Ｎ／Ｄの７状態全てを同一のリソース且つ同一の位相点で通知することができれば、全ての状態（図１１Ａに示す全２６状態（２６個の受信成否のパターン））を通知するために必要な位相点は合計で８つとなる。つまり、図１１Ａに示す３つのＡＣＫ／ＮＡＣＫリソースのうちいずれかを削減することが可能となる。しかし、上記ＡＣＫ／ＮＡＣＫリソースの制限によって、図１０Ｂに示すように、端末２００が応答信号のみを送信する場合には、３つのＡＣＫ／ＮＡＣＫリソース１，２，３（つまり、端末２００に設定された下り単位バンドの数と同数のリソース）が必要となる。
【０１３１】
これに対し、端末２００が同一サブフレーム内でＳＲと応答信号とを同時に送信する場合（図１０Ｃに示すＳＲ＋応答信号送信時）には、端末２００は、図１１Ｂに示すように、基地局１００から別途通知されるＳＲリソースを用いて、応答信号を送信する。具体的には、端末２００の制御部２０８は、自機宛の下り割当制御情報と対応する下り回線データの受信成否（誤り検出結果）のパターン（状態）に基づいて、図１１Ｂに示される応答信号の送信ルール（マッピングルール）を用いて応答信号を送信する。
【０１３２】
ここで、同一サブフレーム内にＳＲと応答信号とが同時に発生した場合（図１０Ｃに示すＳＲ＋応答信号送信時）に用いる応答信号の送信ルール（マッピングルール）（図１１Ｂ）について説明する。
【０１３３】
図１１Ｂ（同一サブフレーム内でＳＲと応答信号とが同時に発生した場合）に示す送信ルール（マッピングルール）では、受信成否（誤り検出結果）のパターン候補と、応答信号が割り当てられるＳＲリソース及び応答信号の位相点と、が対応付けられ、パターンに含まれるＡＣＫの数又はパターン内におけるＡＣＫの位置（すなわち、受信に成功した下り回線データが割り当てられた下り単位バンド）の少なくとも１つが互いに異なるパターン候補群には、ＳＲリソース又は位相点の少なくとも１つが互いに異なるＳＲリソース及び位相点が対応付けられる。つまり、図１１Ｂでは、受信成否（誤り検出結果）のパターン候補と、ＳＲリソース及び応答信号の位相点のペアとが対応付けられ、パターンに含まれるＡＣＫの数が異なるパターン候補群には互いに異なるペア（ＳＲリソース及び位相点のペア）が対応付けられ、パターンに含まれるＡＣＫの数が同じであり、パターン内におけるＡＣＫの位置（すなわち、受信に成功した下り回線データが割り当てられた下り単位バンド）が異なるパターン候補群にも、互いに異なるペア（ＳＲリソース及び位相点のペア）が対応付けられる。こうすることで、検出された下り割当制御情報に対応する下り回線データの全ての受信に成功した場合でも、受信に成功した下り回線データの数（ＡＣＫの数）が異なる場合、又は、受信に成功した下り回線データの数（ＡＣＫの数）が同じであっても受信に成功した下り回線データが割り当てられた下り単位バンド（ＡＣＫの位置）が異なる場合には、応答信号に対して、互いに異なるＳＲリソース及び位相点のペアが用いられる。
【０１３４】
例えば、図１１Ｂでは、全ての下り単位バンドで下り回線データの受信に成功した場合（「Ａ／Ａ／Ａ」）には、ＳＲリソース２の位相点（−１，０）が用いられ、下り単位バンド１，２で下り回線データの受信に成功し、下り単位バンド３で下り回線データの受信に失敗した場合（「Ａ／Ａ／Ｎ」、「Ａ／Ａ／Ｄ」）には、ＳＲリソース１の位相点（−１，０）が用いられる。また、下り単位バンド１，３で下り回線データの受信に成功し、下り単位バンド２で下り回線データの受信に失敗した場合（「Ａ／Ｎ／Ａ」、「Ａ／Ｄ／Ａ」）には、ＳＲリソース２の位相点（０，ｊ）が用いられ、下り単位バンド１で下り回線データの受信に成功し、下り単位バンド２，３で下り回線データの受信に失敗した場合（「Ａ／Ｎ／Ｎ」、「Ａ／Ｎ／Ｄ」，「Ａ／Ｄ／Ｎ」、「Ａ／Ｄ／Ｄ」）には、ＳＲリソース１の位相点（０，ｊ）が用いられる。また、下り単位バンド１で下り回線データの受信に失敗し、下り単位バンド２，３で下り回線データの受信に成功した場合（「Ｎ／Ａ／Ａ」、「Ｄ／Ａ／Ａ」）には、ＳＲリソース２の位相点（０，−ｊ）が用いられ、下り単位バンド１，３で下り回線データの受信に失敗し、下り単位バンド２で下り回線データの受信に成功した場合（「Ｎ／Ａ／Ｎ」、「Ｎ／Ａ／Ｄ」、「Ｄ／Ａ／Ｎ」、「Ｄ／Ａ／Ｄ」）には、ＳＲリソース１の位相点（０，−ｊ）が用いられる。また、下り単位バンド１，２で下り回線データの受信に失敗し、下り単位バンド３で下り回線データの受信に成功した場合（「Ｎ／Ｎ／Ａ」、「Ｎ／Ｄ／Ａ」、「Ｄ／Ｎ／Ａ」、「Ｄ／Ｄ／Ａ」）には、ＳＲリソース２の位相点（１，０）が用いられ、全ての下り単位バンドで下り回線の受信に成功しなかった場合（「Ｎ／Ｎ／Ｎ」、「Ｎ／Ｎ／Ｄ」、「Ｎ／Ｄ／Ｎ」，「Ｎ／Ｄ／Ｄ」、「Ｄ／Ｎ／Ｎ」、「Ｄ／Ｎ／Ｄ」、「Ｄ／Ｄ／Ｎ」）には、ＳＲリソース１の位相点（１，０）が用いられる。
【０１３５】
ここで、図１１Ｂに示すＳＲリソースは、図９Ｂと同様、基地局１００から端末２００へ予め通知されている。よって、図１１Ｂ（図１０Ｃに示すＳＲ＋応答信号送信時）では、上述した図１１Ａ（図１０Ｂに示す応答信号のみ送信時）のような制限はなく、状態Ｎ／Ｎ／Ｎ，Ｎ／Ｎ／Ｄ，Ｎ／Ｄ／Ｎ，Ｎ／Ｄ／Ｄ，Ｄ／Ｎ／Ｎ，Ｄ／Ｎ／Ｄの７状態全てを同一のリソース且つ同一の位相点（図１１ＢではＳＲリソース１の位相点（１，０））に対応付けることが可能となる。よって、図１１Ｂでは、全ての状態（図１１Ｂに示す全２６状態（２６個の受信成否のパターン））を通知するために必要な位相点は合計で８つとなる。
【０１３６】
つまり、図１１Ａでは、上記制限により、全ての状態（受信成否パターン）を通知するために必要な位相点は合計で１０個となり、下り単位バンド１，２，３の応答信号を通知するためのＡＣＫ／ＮＡＣＫリソースが３つ必要となる。これに対し、図１１Ｂでは、ＳＲ及び下り単位バンド１，２，３の応答信号を通知するためのＳＲリソース（ＰＵＣＣＨリソース）は２つでよい。
【０１３７】
このように、端末２００がＳＲと応答信号とを同時に送信する場合には、図１１Ｂに示すようなマッピングを用いることにより、応答信号の送信方法としてChannel selectionを適用した場合でも、ＳＲリソースの数を抑えることができる。図１０Ａでは、ＡＣＫ／ＮＡＣＫリソースと同数の３つよりも１つ少ない、２つのＳＲリソースのみを用意すればよい。つまり、図１０Ａでは、ＳＲ及び応答信号を送信するために必要なＰＵＣＣＨリソース（ＳＲリソースとＡＣＫ／ＮＡＣＫリソース）が５つで済む。
【０１３８】
また、図１１Ｂにおいて、注目すべき点は、同一リソース内の隣接する位相点（つまり、位相差が９０度（π／２ラジアン）となる位相点）を用いて通知される応答信号の状態（受信成否のパターン候補群）同士は、１つの下り単位バンドにおける受信状況のみが互いに異なる。例えば、図１１Ｂに示すＳＲリソース２において、位相点（−１，０）を用いて通知される状態「Ａ／Ａ／Ａ」と、位相点（０，ｊ）（位相点（−１，０）との位相差９０度）を用いて通知される状態「Ａ／Ｎ／Ａ」及び「Ａ／Ｄ／Ａ」とは、下り単位バンド２（ＣＣ２）の受信状況のみが互いに異なる。同様に、図１１Ｂに示すＳＲリソース２において、位相点（−１，０）を用いて通知される状態「Ａ／Ａ／Ａ」と、位相点（０，−ｊ）（位相点（−１，０）との位相差９０度）を用いて通知される状態「Ｎ／Ａ／Ａ」及び「Ｄ／Ａ／Ａ」とは、下り単位バンド１（ＣＣ１）の受信状況のみが互いに異なる。他の位相点についても同様である。
【０１３９】
こうすることによって、図９Ｂと同様、基地局１００側（判定部１１８）では、仮に位相点の判定を誤った場合でも、再送制御を誤る単位バンドの数を最小限に抑えることができるため、再送効率の劣化を最小化することができる。
【０１４０】
また、端末２００がＳＲのみを送信する場合（図１０Ｄに示すＳＲのみ送信時）には、端末２００は、図１１Ｂに示すように、全てがＮＡＣＫ（又はＤＴＸ）である状態（受信成否のパターン）と同一リソース（ＳＲリソース１）且つ同一位相点（１，０）を用いてＳＲを送信する。
【０１４１】
以上のように本実施の形態によれば、端末２００において、制御部２０８が、ＳＲの発生状況と、自装置に設定された単位バンドグループに含まれる下り単位バンドで受信した下り回線データの受信成否（誤り検出結果）のパターンとに基づいて、ＳＲ及び応答信号の送信制御を行う。また、制御部２０８は、同一サブフレーム内にＳＲと応答信号とが同時に発生した場合には、受信成否（誤り検出結果）の各パターンにおける、受信に成功した下り回線データの数（つまり、ＡＣＫの数）、及び、受信に成功した下り回線データが割り当てられた下り単位バンド（つまり、受信成否のパターン内におけるＡＣＫの位置）に応じて、応答信号を通知するＰＵＣＣＨリソース（ＳＲリソース）及び応答信号の位相点のペアを異ならせる。すなわち、端末２００が選択するＰＵＣＣＨリソース（ＳＲリソース）及び応答信号の位相点のペアは、受信成否のパターンにおける、受信に成功した下り回線データの数（つまり、ＡＣＫの数）、及び、受信に成功した下り回線データが割り当てられた下り単位バンド（つまり、受信成否のパターン内のＡＣＫの位置）に応じて異なる。
【０１４２】
こうすることで、応答信号の受信側である基地局１００が、応答信号を受信したＰＵＣＣＨリソース及び応答信号の位相点に基づいて、下り回線データの受信に成功した下り単位バンドの組み合わせを特定することができる。また、端末２００は、端末２００側のＳＲの発生状況に応じて、ＰＵＣＣＨリソース（ＡＣＫ／ＮＡＣＫリソース又はＳＲリソース）及び送信ルール（マッピングルール）を変更する。このとき、端末２００は、同一サブフレーム内にＳＲと応答信号とが同時に発生した場合には、ＳＲリソースの全ての位相点（Constellationポイント）を用いて応答信号を通知する。このため、ＳＲ及び応答信号を通知するために必要なＳＲリソースの数を少なく抑えることができる。つまり、基地局１００が端末２００へ通知すべきＳＲリソースの数を削減することができる。このように、本実施の形態によれば、ＬＴＥ−Ａにおける応答信号の送信方法としてChannel selectionを適用した場合でも、上り制御チャネル（ＰＵＣＣＨ）のオーバーヘッドの増加量を抑えて、ＳＲと応答信号とを同時に送信することができる。
【０１４３】
（実施の形態２）
実施の形態２では、実施の形態１に対して上り制御チャネル（ＰＵＣＣＨ）のオーバーヘッドを更に削減するために、端末が一部の下り単位バンドにおけるＡＣＫ情報の送信を取り止める。すなわち、端末は、一部の下り単位バンドにおけるＡＣＫ情報をＤｒｏｐする。これにより、実施の形態２では、実施の形態１よりも上り制御チャネル（ＰＵＣＣＨ）のオーバーヘッドを更に削減することが可能となる。
【０１４４】
以下、具体的に説明する。実施の形態２に係る基地局及び端末の基本構成は、実施の形態１と同様であるので、図６（基地局１００）と図７（端末２００）を援用して説明する。
【０１４５】
［端末２００の動作：下り単位バンドが３つの場合］
以下の説明では、端末２００に設定された下り単位バンドを３つ（下り単位バンド１，２，３）とする。また、実施の形態１と同様に、下り単位バンド１で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース１と定義し、下り単位バンド２で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース２と定義し、下り単位バンド３で送信される下り回線データ向けの下り割当制御情報に用いられた下り制御情報割当リソースに対応付けられたＡＣＫ／ＮＡＣＫリソース（ＰＵＣＣＨリソース）をＡＣＫ／ＮＡＣＫリソース３と定義している。
【０１４６】
また、以下の説明では、基地局１００は、端末２００に対して、端末２００に設定された上り単位バンド内において、ＳＲを送信するための１つのリソース（図１２Ａに示すＳＲリソース）に関する情報を別のシグナリング手段（例えば、Higher layer signaling）によって通知する。つまり、端末２００の制御部２０８は、基地局１００から通知されたＳＲリソースに関する情報を保持している。
【０１４７】
また、端末２００では、各下り単位バンド１，２，３のＰＤＣＣＨを構成する複数のＣＣＥのうち、自機が受信した下り割当制御情報が占有していたＣＣＥに対応付けられたＡＣＫ／ＮＡＣＫリソースを、ＡＣＫ／ＮＡＣＫリソース１，２又は３として特定する。
【０１４８】
ここで、図１２Ａにおいて、ＳＲリソース及びＡＣＫ／ＮＡＣＫリソース１，２，３は、ＺＡＣ系列（１次拡散）又はウォルシュ系列／ＤＦＴ系列のうち少なくとも一方が異なる、互いに異なる符号リソースである。
【０１４９】
以下、端末２００に設定される下り単位バンドが３つ（下り単位バンド１〜３）の場合でもＳＲリソース数を１つに抑えるための、端末２００における応答信号のマッピング例１〜４について説明する。
【０１５０】
＜マッピング例１（図１３Ａ及び図１３Ｂ）＞
マッピング例１では、端末２００は、ＳＲと応答信号とを同時に送信する際（図１２Ｃに示すＳＲ＋応答信号送信時）、下り単位バンド３（ＣＣ３）がＡＣＫ，ＮＡＣＫ、ＤＴＸのいずれの状態であるかに関わらず、下り単位バンド１（ＣＣ１）及び下り単位バンド２（ＣＣ２）に対する誤り検出結果のパターンに応じて、応答信号をマッピングするリソース及び位相点を決定する。つまり、端末２００は、実施の形態１における下り単位バンド数が２個の場合のマッピングルール（図９Ｂ）を利用する。なお、ここでは、下り単位バンド１〜３において、基地局１００が下り回線データの送信に用いる優先度は、下り単位バンド１，２，３の順に高いものとする。
【０１５１】
具体的には、図１３Ａに示すように、応答信号のみを送信する場合（図１２Ｂに示す応答信号のみ送信時）については、実施の形態１（図１１Ａ）と同様である。
【０１５２】
これに対し、図１３Ｂに示すように、ＳＲと応答信号とが同時に発生した場合（図１２Ｃに示すＳＲ＋応答信号送信時）には、下り単位バンド１（ＣＣ１）及び下り単位バンド２（ＣＣ２）の受信成否（誤り検出結果）のパターン候補と、ＳＲリソースにおける応答信号の位相点とが対応付けられる。すなわち、図１３Ｂでは、端末２００における下り単位バンド３（ＣＣ３）の受信状況に依らず、応答信号を送信すべきリソース及び位相点が決定される。つまり、実質、下り単位バンド３に対する応答信号は、端末２００から基地局１００へ全く通知されず、Ｄｒｏｐされたことになる。すなわち、下り単位バンド３を用いて基地局１００から端末２００へ送信された下り回線データは必ず再送される。
【０１５３】
しかし、端末２００側において、同一サブフレーム内でＳＲと応答信号とが同時に発生することは稀である。また、基地局１００が端末２００に対して３つの下り単位バンドを設定していても、実際には、基地局１００は端末２００に対して大部分の状況では１つの下り単位バンド（例えば、優先度が最も高い下り単位バンド１）のみを用いて下り回線データを送信すれば十分であり、必ずしも下り単位バンド３を用いなくてもよい。すなわち、基地局１００が端末に対して下り単位バンド３を用いて下り回線データを送信しなければならない状況は少ない。これらを考慮に入れると、下り単位バンド３では、端末２００が下り割当制御情報を検出しない可能性が高い（すなわち、ＤＴＸとなる可能性が高い）。従って、図１３Ｂに示すように、端末２００が下り単位バンド３に対する応答信号に関する情報を送信しなくても（Ｄｒｏｐしても）、再送効率に与える影響はほとんどない。
【０１５４】
なお、端末２００がＳＲのみを送信する場合（図１２Ｄに示すＳＲのみ送信時）には、端末２００は、図１３Ｂに示すように、下り単位バンド１，２に対する受信状況が全てがＮＡＣＫ（又はＤＴＸ）である状態（受信成否のパターン）と同一位相点（１，０）を用いてＳＲを送信する。
【０１５５】
このようにして、マッピング例１では、同一サブフレーム内においてＳＲと応答信号とが同時に発生した場合のみ、端末２００（制御部２０８）は、一部の下り単位バンドに対する応答信号に関する情報（図１３Ｂでは下り単位バンド３の応答信号に関する情報）を送信しない（Ｄｒｏｐする）。換言すると、同一サブフレーム内においてＳＲと応答信号とが同時に発生した場合のみ、端末２００は、一部の下り単位バンドに対するＡＣＫを、ＮＡＣＫにBundleする。ただし、端末２００は、端末２００に設定された複数の下り単位バンドのうち、優先度が低い下り単位バンドに対する応答信号をＤｒｏｐするため、一部の応答信号がＤｒｏｐされることが再送効率に与える影響は少ない。よって、このようにすることで、再送効率を低下させることなく、上り制御チャネル（ＰＵＣＣＨ）のオーバーヘッドを削減することができる。
【０１５６】
＜マッピング例２（図１４Ａ及び図１４Ｂ）＞
マッピング例２では、端末２００は、ＳＲと応答信号とを同時に送信する際（図１２Ｃに示すＳＲ＋応答信号送信時）、受信成否（誤り検出結果）のパターン候補（状態）のうち、ＡＣＫの数が少ない状態同士をBundlingして、ＳＲリソースの同一位相点にマッピングする。換言すると、端末２００は、ＳＲと応答信号とが同時に送信する際、発生確率が比較的低い受信成否（誤り検出結果）のパターン候補（状態）同士をBundlingして、ＳＲリソースの同一位相点にマッピングする。
【０１５７】
一般に、下り回線データのエラー率（Block Error Rate）は、１０％〜３０％程度となるように、基地局１００側で適応変調が行われる。そのため、ある下り回線データに対する誤り検出結果として、端末２００がＮＡＣＫを生成する確率よりもＡＣＫを生成する確率の方が高くなる。すなわち、ＡＣＫの数が多い受信成否（誤り検出結果）のパターン（状態）は発生確率が比較的高い状態であり、ＡＣＫの数が少ない受信成否（誤り検出結果）のパターン（状態）は発生確率が比較的低い状態である。
【０１５８】
そこで、端末２００は、ＳＲと応答信号とが同時に発生した場合（図１２Ｃに示すＳＲ＋応答信号送信時）には、ＡＣＫの数が１つである状態（ＡＣＫの数が少ない状態）を、全てがＮＡＣＫ（又はＤＴＸ）である状態と同一位相点（図１４ＢではＳＲリソースの位相点（１，０））を用いて送信する。すなわち、図１４Ｂでは、端末２００は、ＡＣＫの数が１つである状態（ＡＣＫの数が少ない状態）を、全てがＮＡＣＫ（又はＤＴＸ）である状態とBundlingする。
【０１５９】
これに対して、端末２００は、図１４Ｂに示すように、ＡＣＫの数が２又は３である状態（ＡＣＫの数が多い状態）を、ＳＲリソース内の互いに異なる位相点を用いて通知する。ただし、ＳＲリソース数を１つに抑えるために、図１４Ｂに示すように、ＡＣＫの数が２つである状態のうち一部の状態（「Ｎ／Ａ／Ａ」、「Ｄ／Ａ／Ａ」）も、全てがＮＡＣＫ（又はＤＴＸ）である状態とBundlingされている。ここで、マッピング例１と同様に、下り単位バンド１〜３において基地局１００が下り回線データの送信に用いる優先度が下り単位バンド１，２，３の順に高いものとする。この場合には、下り単位バンド２，３に対する応答信号がＡＣＫである状態（「Ｎ（又はＤ）／Ａ／Ａ」）は、ＡＣＫの数が２つである他の状態（「Ａ／Ａ／Ｎ（又はＤ）」、「Ａ／Ｎ（又はＤ）／Ａ」）よりも発生確率が低くなる。つまり、図１４Ｂでは、ＳＲリソースを１つに抑えるために、ＡＣＫの数が２つである状態のうち、発生確率がより低い一部の状態（「Ｎ／Ａ／Ａ」、「Ｄ／Ａ／Ａ」）も、全てがＮＡＣＫ（又はＤＴＸ）である状態とBundlingされている。
【０１６０】
よって、ＡＣＫの数が１つである状態（および、ＡＣＫの数が２つである状態のうち一部の状態）については、実質、端末２００から基地局１００へ通知されないことになる。すなわち、ＡＣＫの数が１つである状態（および、ＡＣＫの数が２つである状態のうち一部の状態）において応答信号がＡＣＫとなる下り単位バンドを用いて基地局１００から端末２００へ送信された下り回線データは必ず再送される。
【０１６１】
しかし、マッピング例１と同様、端末２００側において、同一サブフレーム内でＳＲと応答信号とが同時に発生することは稀である。また、上述したように、ある下り回線データに対してはＮＡＣＫよりもＡＣＫが生成される可能性が高くなる。これらを考慮に入れると、ＡＣＫの数が１つである状態（および、ＡＣＫの数が２つである状態のうち一部の状態）、つまり、発生確率が低い状態を、全てがＮＡＣＫ（又はＤＴＸ）である状態にBundlingしても、再送効率に与える影響はほとんどない。
【０１６２】
なお、マッピング例２では、図１４Ａに示すように、端末２００が応答信号のみを送信する場合（図１２Ｂに示す応答信号のみ送信時）については、実施の形態１（図１１Ａ）と同様である。また、端末２００がＳＲのみを送信する場合（図１２Ｄに示すＳＲのみ送信時）には、端末２００は、図１４Ｂに示すように、全てがＮＡＣＫ（又はＤＴＸ）である状態（および、ＡＣＫの数が２つである状態のうち一部の状態）と同一位相点（１，０）を用いてＳＲを送信する。
【０１６３】
このようにして、マッピング例２では、同一サブフレーム内においてＳＲと応答信号とが同時に発生した場合のみ、端末２００（制御部２０８）は、一部の下り単位バンドに対するＡＣＫを送信しない。具体的には、端末２００（制御部２０８）は、ＡＣＫの数が少ない状態（図１４ＢではＡＣＫの数が１つである状態）を、全てがＮＡＣＫ（又はＤＴＸ）である状態にBundlingする。ただし、ＡＣＫの数が少ない状態は、ＡＣＫの数が多い状態よりも発生確率が小さいため、ＡＣＫの数が少ない状態と全てがＮＡＣＫ（ＤＴＸ）である状態とをBundlingすることが再送効率に与える影響は少ない。よって、このようにすることで、再送効率を低下させることなく、上り制御チャネル（ＰＵＣＣＨ）のオーバーヘッドを削減することができる。
【０１６４】
＜マッピング例３（図１５Ａ及び図１５Ｂ）＞
マッピング例３では、端末２００は、ＳＲと応答信号とを同時に送信する際（図１２Ｃに示すＳＲ＋応答信号送信時）、受信成否（誤り検出結果）のパターン候補（状態）のうち、端末２００にとって重要ではない下り単位バンドを用いて送信された下り回線データに対するＡＣＫを含む状態を、全てがＮＡＣＫ（又はＤＴＸ）である状態とBundlingして、同一リソースの同一位相点にマッピングする。換言すると、端末２００は、ＳＲと応答信号とが同時に送信する際、端末２００にとって重要である下り単位バンドを用いて送信された下り回線データに対するＡＣＫを含む状態を、ＮＡＣＫとBundlingせずに、互いに異なる位相点を用いて送信する。
【０１６５】
ここで、端末２００にとって重要である下り単位バンドとしては、例えば、（１）端末２００が受信すべき報知情報（ＢＣＨ）がマッピングされている下り単位バンド、（２）端末２００が初めに基地局１００に接続した際、すなわち、Ｃａｒｒｉｅｒ  ａｇｇｒｅｇａｔｉｏｎ通信が開始される前に受信していた下り単位バンド、又は、（３）基地局１００から端末２００に対して、重要なキャリア（Anchor Carrier）であると明示的に（Explicitly）通知された下り単位バンド、等が挙げられる。以下の説明では、重要である下り単位バンド（例えば、Anchor Carrier）を下り単位バンド１（ＣＣ１）とする。
【０１６６】
そこで、端末２００は、ＳＲと応答信号とが同時に発生した場合（図１２Ｃに示すＳＲ＋応答信号送信時）には、重要である下り単位バンド１以外の下り単位バンド２，３（重要ではない下り単位バンド）に対する一部のＡＣＫを、ＮＡＣＫとBundlingする。これに対して、端末２００は、図１５Ｂに示すように、重要である下り単位バンド１（Anchor Carrier、ＣＣ１）を用いて送信された下り回線データに対するＡＣＫとＮＡＣＫとを互いに異なる位相点を用いて通知する。すなわち、ＳＲと応答信号とが同時に発生した場合には、図１５Ｂに示すように、端末２００では、端末２００における下り単位バンド２（ＣＣ２）及び下り単位バンド３（ＣＣ３）の受信状況に依らず、下り単位バンド１（ＣＣ１）の受信状況のみに基づいて、応答信号を送信すべきリソース及び位相点が決定される。
【０１６７】
これにより、基地局１００は、重要である下り単位バンド１（Anchor Carrier）を用いて送信した下り回線データに対して、端末２００でＡＣＫまたはＮＡＣＫのいずれが生成されたかについて確実に判定することができる。また、図１５Ａに示すように、応答信号のみを送信する場合（図１２Ｂに示す応答信号のみ送信時）については、実施の形態１（図１１Ａ）と同様、基地局１００は、全ての下り単位バンドに対する端末２００での受信状況を判定することができる。
【０１６８】
一方、ＳＲと応答信号とが同時に発生した場合には、下り単位バンド２，３でＡＣＫが発生した場合でも、基地局１００でＡＣＫとＮＡＣＫとを判断できない状況（図１５Ｂに示す位相点（１，０）を用いて通知される状態）がいくつか発生する。
【０１６９】
しかし、マッピング例１と同様、端末２００側において、同一サブフレーム内でＳＲと応答信号とが同時に発生することは稀である。また、基地局１００は、重要である下り単位バンド１（Anchor Carrier）を用いて重要な情報（例えば、上位レイヤの制御情報）を送信する。このため、基地局１００では、端末２００でＳＲと応答信号とが同時に発生した場合でも、下り単位バンド１（Anchor Carrier）に対するＡＣＫとＮＡＣＫとを確実に判断でき、端末２００は、重要な情報を、少ない送信回数（再送回数）で受信すること可能となる。これらを考慮に入れると、重要ではない下り単位バンド２，３に対する応答信号に関する情報が状況によって正常に基地局１００に通知できないことが、システム全体に与える影響は小さい。
【０１７０】
なお、マッピング例３では、端末２００がＳＲのみを送信する場合（図１２Ｄに示すＳＲのみ送信時）には、端末２００は、図１５Ｂに示すように、下り単位バンド１の受信状況がＮＡＣＫ又はＤＴＸである状態（すなわち、重要ではない下り単位バンド２，３の一部のＡＣＫがＮＡＣＫとBundlingされた状態）と同一位相点（１，０）を用いてＳＲを送信する。
【０１７１】
このようにして、マッピング例３では、同一サブフレーム内においてＳＲと応答信号とが同時に発生した場合のみ、端末２００（制御部２０８）は、重要である下り単位バンド（Anchor Carrier）以外の下り単位バンド（重要でない下り単位バンド）に対する一部の応答信号に関する情報を送信しない。具体的には、端末２００は、重要である下り単位バンド（Anchor Carrier）以外の下り単位バンド（重要でない下り単位バンド）に対する一部のＡＣＫをＮＡＣＫにBundlingする。これより、端末２００は、同一サブフレーム内においてＳＲと応答信号とが同時に発生した場合には、端末２００に設定された複数の下り単位バンドのうち、重要である下り単位バンド（Anchor Carrier）に対する応答信号を優先的に通知する。このようにすることで、システム全体に対して悪影響を与えることなく、上り制御チャネル（ＰＵＣＣＨ）のオーバーヘッドを削減することができる。
【０１７２】
＜マッピング例４（図１６Ａ及び図１６Ｂ）＞
マッピング例４では、端末２００は、ＳＲと応答信号とを同時に送信する際（図１２Ｃに示すＳＲ＋応答信号送信時）、ＳＲリソースのみでなく、ＡＣＫ／ＮＡＣＫリソースの中からも、応答信号をマッピングするリソース及び位相点を決定する。
【０１７３】
具体的には、図１６Ａ及び図１６Ｂでは、ＳＲと応答信号とが同時に発生した場合（図１２Ｃに示すＳＲ＋応答信号送信時）には、マッピング例２（図１４Ｂ）と同様にして、ＡＣＫの数が多い状態（ここではＡＣＫの数が２つ以上の状態）が、他の状態と互いに異なるリソース及び位相点に対応付けられる。すなわち、ＡＣＫの数が多い状態が他の状態とBundlingされないように、各状態（受信成否（誤り検出結果）のパターン）と応答信号のリソース及び位相点とが対応付けられる。
【０１７４】
さらに、図１６Ａ及び図１６では、ＳＲと応答信号とが同時に発生した場合（図１２Ｃに示すＳＲ＋応答信号送信時）には、マッピング例３（図１５Ｂ）と同様にして、重要である下り単位バンド（ここでは下り単位バンド１（例えば、Anchor Carrier））に対するＡＣＫとＮＡＣＫとが互いに異なるリソース及び位相点に対応付けられる。すなわち、重要である下り単位バンド（ここでは下り単位バンド１（例えば、Anchor Carrier））に対するＡＣＫがＮＡＣＫとBundlingされないように、各状態（受信成否（誤り検出結果）のパターン）と応答信号のリソース及び位相点とが対応付けられる。
【０１７５】
このとき、各状態（受信成否（誤り検出結果）のパターン）は、６種類の状態（６個の受信成否（誤り検出結果）のパターン候補群）にグループ化される。具体的には、図１６Ａ及び図１６Ｂに示す白丸‘○’で表される「Ａ／Ａ／Ａ」、「Ａ／Ａ／Ｎ（Ｄ）」、「Ａ／Ｎ（Ｄ）／Ａ」、「Ａ／Ｎ（Ｄ）／Ｎ（Ｄ）」、「Ｎ（Ｄ）／Ａ／Ａ」、及びその他の状態の６種類のパターン候補群にグループ化される。
【０１７６】
そこで、ＳＲと応答信号とが同時に発生した場合（図１２Ｃに示すＳＲ＋応答信号送信時）には、端末２００は、応答信号を、図１６Ｂに示すＳＲリソースの４つの位相点に加え、図１６Ａに示すＡＣＫ／ＮＡＣＫリソース１，２のうち、応答信号のみが送信される場合（図１２Ｂに示す応答信号のみ送信時）において使用されていないＡＣＫ／ＮＡＣＫリソース１，２の位相点（０，−ｊ）も用いて送信する。すなわち、端末２００は、図１６Ｂに示すＳＲリソースの４つの位相点及び図１６Ａに示すＡＣＫ／ＮＡＣＫリソース１，２の２つの位相点（０，−ｊ）の合計６個の位相点を用いて、応答信号に関する情報を送信する。このようにして、ＳＲと応答信号とが同時に発生した場合（図１２Ｃに示すＳＲ＋応答信号送信時）、誤り検出結果の候補パターン群が６個の場合でも、ＡＣＫ／ＮＡＣＫリソースで未使用の位相点を用いることで、ＳＲと応答信号を送信するために用意するＳＲリソースを１つに抑えることができる。
【０１７７】
つまり、端末２００は、ＳＲと応答信号とが同時に発生した場合（図１２Ｃに示すＳＲ＋応答信号送信時）には、重要ではない下り単位バンド２，３に対するＡＣＫを含む状態であり、且つ、ＡＣＫの数が少ない状態（ＡＣＫの数が１つである状態）のみを、全てがＮＡＣＫ（又はＤＴＸ）である状態にBundlingする。
【０１７８】
これにより、基地局１００では、ＳＲと応答信号とが同時に発生した場合（図１２Ｃに示すＳＲ＋応答信号送信時）には、マッピング例２と同様にして、ＡＣＫの数が多い状態（ここではＡＣＫの数が２つ以上の状態）を確実に判断することができ、且つ、マッピング例３と同様にして、重要である下り単位バンド（例えば、Anchor Carrier）に対する応答信号を確実に判断することができる。
【０１７９】
なお、マッピング例４では、図１６Ａ（黒丸‘●’）に示すように、端末２００が応答信号のみを送信する場合（図１２Ｂに示す応答信号のみ送信時）については、実施の形態１（図１１Ａ）と同様である。また、端末２００がＳＲのみを送信する場合（図１２Ｄに示すＳＲのみ送信時）には、端末２００は、図１６Ｂに示すように、全てがＮＡＣＫ（又はＤＴＸ）である状態（および、ＳＲ発生時のみＤｒｏｐされるＡＣＫを含む状態）と同一位相点（１，０）を用いてＳＲを送信する。
【０１８０】
このようにして、マッピング例４では、同一サブフレーム内においてＳＲと応答信号とが同時に発生した場合には、端末２００は、一部の下り単位バンドに対する応答信号に関する情報を、ＡＣＫ／ＮＡＣＫリソースの未使用の位相点に対応付ける。これにより、ＳＲリソースの数を増やすことなく、基地局で判断可能な誤り検出結果のパターン候補の数を増やす事が可能となる。換言すると、端末２００でＤｒｏｐされるＡＣＫの数（ＮＡＣＫにBundlingされるＡＣＫの数）を減らすことが可能となる。つまり、端末２００側で応答信号がＤｒｏｐされることによる再送効率に与える影響を、マッピング例２及び３よりも更に少なくすることができる。このようにすることで、再送効率を低下させることなく、上り制御チャネル（ＰＵＣＣＨ）のオーバーヘッドを削減することができる。
【０１８１】
以上、端末２００における応答信号のマッピング例について説明した。
【０１８２】
このようにして、本実施の形態によれば、端末２００において、一部の下り単位バンドにおけるＡＣＫ情報をＤｒｏｐすることにより、実施の形態１よりも上り制御チャネル（ＰＵＣＣＨ）のオーバーヘッドを更に削減することが可能となる。
【０１８３】
以上、本発明の各実施の形態について説明した。
【０１８４】
なお、上記実施の形態では、全てのＡＣＫ／ＮＡＣＫリソースが、端末に対する下り割当制御情報が占有していたＣＣＥに関連付けられて（すなわち、暗示的（Implicit）に）通知される場合について説明したが、本発明はこれに限定されない。例えば、図１１Ａにおける応答信号のマッピングルールを、一部のＡＣＫ／ＮＡＣＫリソースが基地局から明示的（Explicit）に通知される場合に応用すると図１７Ａ及び図１７Ｂに示すようになる。なお、図１７Ｂは図１１Ｂと同様である。一方、図１７Ａでは、ＡＣＫ／ＮＡＣＫリソース２が明示的（Explicit）に通知されるため、端末側における下り割当制御情報の受信成否に関わらず、端末側ではＡＣＫ／ＮＡＣＫリソース２の情報が既知である。そのため、端末は、ＡＣＫ／ＮＡＣＫリソース２に対して、Ｎ／Ｄ／Ａ又はＤ／Ｄ／Ａ等の状態（つまり、下り単位バンド２に対するＤＴＸが発生している状態）をマッピングすることが可能となる。すなわち、端末に対して３つの下り単位バンドが設定される場合でも、端末が応答信号のみを送信する際に必要なＡＣＫ／ＮＡＣＫリソースの数を、図１１Ａ（３つのＡＣＫ／ＮＡＣＫリソース）と比較して、２つに削減することができる。
【０１８５】
また、上記実施の形態では、ＰＵＣＣＨリソースにおける１次拡散にＺＡＣ系列を用い、２次拡散に直交符号系列としてウォルシュ系列とＤＦＴ系列との組を用いる場合について説明した。しかし、本発明では、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、又は、コンピュータによってランダムに生成された時間軸上での自己相関特性が急峻な系列等を１次拡散に用いてもよい。また、ＺＡＣ系列は、循環シフトを施すべきベースとなる系列という意味で、英語で「base sequence」と表記されることもある。また、２次拡散には、互いに直交する系列、又は、互いにほぼ直交すると見なせる系列であればいかなる系列を直交符号系列として用いてもよい。以上の説明では、ＺＡＣ系列の循環シフト量と直交符号系列の系列番号とによって応答信号のリソース（例えば、ＰＵＣＣＨリソース）が定義されている。
【０１８６】
また、上記実施の形態では、端末側の処理の順番として、１次拡散の後に２次拡散を行う場合について説明した。しかし、１次拡散及び２次拡散の処理の順番はこれに限定されない。すなわち、１次拡散と２次拡散はいずれも乗算で表される処理であるため、例えば、応答信号に対し２次拡散を行った後、１次拡散を行っても、本実施の形態と同一の結果が得られる。
【０１８７】
また、上記実施の形態では、基地局１００の制御部１０１は、下り回線データと当該下り回線データに対する下り割当制御情報を同一の下り単位バンドにマッピングするよう制御するとしたが、本実施の形態はこれに限定されない。すなわち、下り回線データと当該下り回線データに対する下り割当制御情報が別の下り単位バンドにマッピングされていても、下り割当制御情報と下り回線データとの対応関係が明確であれば、本実施の形態を適用できる。この場合、端末側では、ＡＣＫ／ＮＡＣＫリソース１を、「下り単位バンド１で送信される下り回線データに対する下り割当制御情報が占有していたリソース（ＣＣＥ）」に対応するＰＵＣＣＨリソース、として求める。
【０１８８】
また、上記実施の形態では、端末が送信する応答信号がＱＰＳＫで変調される場合について説明した。しかし、応答信号がＱＰＳＫで変調される場合に限らず、例えば、ＢＰＳＫまたは１６ＱＡＭで変調される場合にも本発明を適用することができる。
【０１８９】
また、上記各実施の形態では、本発明をハードウェアで構成する場合を例にとって説明したが、本発明はソフトウェアで実現することも可能である。
【０１９０】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１９２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９３】
２００９年１０月２日出願の特願２００９−２３０７２７の日本出願に含まれる明細書、図面および要約書の開示内容は、すべて本願に援用される。
【産業上の利用可能性】
【０１９４】
本発明は、複数の下り単位バンドを用いたCarrier aggregation通信時に応答信号の送信方法としてChannel selectionが適用される場合に、上り制御チャネルのオーバーヘッドの増加を抑えつつ、ＳＲと応答信号とを同時に送信することができるものとして有用である。
【符号の説明】
【０１９５】
１００  基地局
１０１  制御部
１０２  制御情報生成部
１０３，１０５  符号化部
１０４，１０７，２１３  変調部
１０６  データ送信制御部
１０８  マッピング部
１０９，２１６  ＩＦＦＴ部
１１０，２１７  ＣＰ付加部
１１１，２１８  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８  判定部
１１９  再送制御信号生成部
２００  端末
２０３  ＦＦＴ部
２０４  抽出部
２０５，２０９  復調部
２０６，２１０  復号部
２０７  判定部
２０８  制御部
２１１  ＣＲＣ部
２１２  応答信号生成部
２１４  １次拡散部
２１５  ２次拡散部
【図１】
0005552188.tif 000002
【図２】
0005552188.tif 000003
【図３】
0005552188.tif 000004
【図４】
0005552188.tif 000005
【図５】
0005552188.tif 000006
【図６】
0005552188.tif 000007
【図７】
0005552188.tif 000008
【図８】
0005552188.tif 000009
【図９】
0005552188.tif 000010
【図１０】
0005552188.tif 000011
【図１１】
0005552188.tif 000012
【図１２】
0005552188.tif 000013
【図１３】
0005552188.tif 000014
【図１４】
0005552188.tif 000015
【図１５】
0005552188.tif 000016
【図１６】
0005552188.tif 000017
【図１７】
0005552188.tif 000018